(57)【特許請求の範囲】
【請求項１】
データ伝送方法であって、
第２のユーザ機器（ＵＥ）によって、第１のＵＥから第１のメッセージを受信する段階であって、前記第１のメッセージは、中継要求情報及び前記第１のＵＥのアイデンティティ（ＩＤ）を含み、前記第１のメッセージは、デバイスツーデバイス（Ｄ２Ｄ）リンクを用いることによって、前記第１のＵＥから受信される、段階と、
前記第２のＵＥによって、前記第１のメッセージに従って、予め設定された第１の条件が満たされたか否かを決定する段階であって、前記予め設定された第１の条件は、前記第１のＵＥのネットワークステータス情報が、前記第１のＵＥが基地局とのデータ伝送を直接実行することが不可能であることを示すことと、前記第２のＵＥと前記基地局との間の信号品質が、第１の閾値より低く、第２の閾値より高いことと、の少なくとも１つを含む、段階と、
前記予め設定された第１の条件が満たされたと決定した場合に、前記第２のＵＥによって、前記第１のメッセージに従って、第２のメッセージを前記基地局に送信する段階であって、前記第２のメッセージは、前記第２のＵＥが、前記第１のＵＥと前記基地局との間におけるデータ伝送のための中継ＵＥとして動作することを要求することを示す情報を含む、段階と、
前記第２のＵＥによって、前記基地局から第３のメッセージを受信する段階であって、前記第３のメッセージは、前記第２のＵＥに、前記中継ＵＥとして動作することを命令する、段階と、
を備える方法。
【請求項２】
前記中継要求情報は、参照信号及びＤ２Ｄ同期信号の少なくとも１つによって示される、請求項１に記載の方法。
【請求項３】
前記第２のメッセージを前記基地局に送信する前記段階は、
予め設定された確率値に従って、前記第２のメッセージを前記基地局に送信する段階
を含み、
前記予め設定された確率値は、予め定義される、又は、前記基地局によって構成される、
請求項１又は２に記載の方法。
【請求項４】
前記第２のメッセージは、前記第１のＵＥの前記ＩＤ及び前記第１のＵＥの信号品質についての情報をさらに含み、
前記第１のメッセージは、中継対象データのサービス品質（ＱｏＳ）クラス情報をさらに含み、前記第２のメッセージは、前記中継対象データの前記ＱｏＳクラス情報をさらに含む、
請求項１から３のいずれか１項に記載の方法。
【請求項５】
前記第１のメッセージは、中継対象データのデータ量の大きさをさらに含み、前記第２のメッセージは、中継リソース要求情報を含み、前記第３のメッセージは、中継リソース割り当て指示情報を含み、
前記中継リソース割り当て指示情報は、上位層シグナリング及び物理層シグナリングの少なくとも１つによって示され、
前記物理層シグナリングは、ダウンリンク制御情報（ＤＣＩ）を含み、前記ＤＣＩは、前記中継に関連する無線ネットワーク一時識別子（ＲＮＴＩ）によって特定される、
請求項１から４のいずれか１項に記載の方法。
【請求項６】
データ伝送方法であって、
基地局によって、第２のＵＥから第１のメッセージを受信する段階であって、前記第１のメッセージは、第１のＵＥと前記基地局との間におけるデータ伝送のための中継ＵＥを割り当てることを要求する情報を含む、段階と、
前記基地局によって、前記第２のＵＥと前記第１のＵＥとの間の信号品質についての情報に従って、又は、前記第２のＵＥと前記基地局との間の信号品質についての情報及び前記第２のＵＥと前記第１のＵＥとの間の信号品質についての情報に従って、前記第２のＵＥを前記中継ＵＥとして決定する段階であって、前記第２のＵＥと前記第１のＵＥとの間の信号品質についての前記情報は、前記第１のＵＥからの中継要求情報を含む受信されたメッセージに従って、又は、前記第１のＵＥからの参照信号及び／又はＤ２Ｄ同期信号に従って測定することによって、前記第２のＵＥにより取得される、段階と、
前記基地局によって、第２のメッセージを前記第２のＵＥに送信する段階であって、前記第２のメッセージは、前記第２のＵＥが前記中継ＵＥとして動作することを示す、段階と、
を備える方法。
【請求項７】
前記第１のメッセージは、前記第１のＵＥのアイデンティティ（ＩＤ）、前記第１のＵＥの信号品質についての情報、前記第１のＵＥの中継対象データのデータ量の大きさ、又は中継対象データのサービス品質（ＱｏＳ）クラス情報、中継リソース要求情報、又は前記基地局のＩＤの少なくとも１つを含む、
請求項６に記載の方法。
【請求項８】
前記第１のメッセージは、前記中継リソース要求情報を含み、前記第２のメッセージは、中継リソース割り当て指示情報を含み、
前記中継リソース割り当て指示情報は、上位層シグナリング及び物理層シグナリングの少なくとも１つによって示され、
前記物理層シグナリングは、ダウンリンク制御情報（ＤＣＩ）を含み、前記ＤＣＩは、前記中継に関連する無線ネットワーク一時識別子（ＲＮＴＩ）によって特定される、
請求項７に記載の方法。
【請求項９】
装置であって、
ＵＥから第１のメッセージを受信する受信回路であって、前記第１のメッセージは、中継要求情報及び前記ＵＥのアイデンティティ（ＩＤ）を含み、前記第１のメッセージは、デバイスツーデバイス（Ｄ２Ｄ）リンクを用いることによって、前記ＵＥから受信される、受信回路と、
前記第１のメッセージに従って、予め設定された第１の条件が満たされたか否かを決定するプロセッサであって、前記予め設定された第１の条件は、前記ＵＥのネットワークステータス情報が、前記ＵＥが基地局とのデータ伝送を直接実行することが不可能であることを示すこと、又は、前記装置と前記基地局との間の信号品質が、第１の閾値より低く、第２の閾値より高いことを含む、プロセッサと、
前記プロセッサが、前記予め設定された第１の条件が満たされたと決定した場合に、前記受信回路によって受信された前記第１のメッセージに従って、第２のメッセージを基地局に送信する送信回路であって、前記第２のメッセージは、前記装置が、前記ＵＥと前記基地局との間におけるデータ伝送のための中継ＵＥとして動作することを要求することを示す情報を含む、送信回路と、
を備え、
前記受信回路は、さらに、前記基地局から第３のメッセージを受信し、前記第３のメッセージは、前記装置に前記中継ＵＥとして動作することを命令する、
装置。
【請求項１０】
前記中継要求情報は、参照信号及びＤ２Ｄ同期信号の少なくとも１つによって示される、請求項９に記載の装置。
【請求項１１】
前記送信回路は、予め設定された確率値に従って、前記第２のメッセージを前記基地局に送信し、
前記予め設定された確率値は、予め定義される、又は、前記基地局によって構成される、
請求項９又は１０に記載の装置。
【請求項１２】
前記第２のメッセージは、前記ＵＥの前記ＩＤ及び前記ＵＥの信号品質についての情報をさらに含み、
前記第１のメッセージは、中継対象データのサービス品質（ＱｏＳ）クラス情報をさらに含み、前記第２のメッセージは、前記中継対象データの前記ＱｏＳクラス情報をさらに含む、
請求項９から１１のいずれか１項に記載の装置。
【請求項１３】
前記第１のメッセージは、中継対象データのデータ量の大きさをさらに含み、前記第２のメッセージは、中継リソース要求情報を含み、前記第３のメッセージは、中継リソース割り当て指示情報を含み、
前記中継リソース割り当て指示情報は、上位層シグナリング及び物理層シグナリングの少なくとも１つによって示され、
前記物理層シグナリングは、ダウンリンク制御情報（ＤＣＩ）を含み、前記ＤＣＩは、前記中継に関連する無線ネットワーク一時識別子ＲＮＴＩによって特定される、
請求項９から１２のいずれか１項に記載の装置。
【請求項１４】
基地局であって、
第２のＵＥから第１のメッセージを受信する受信ユニットであって、前記第１のメッセージは、第１のＵＥと前記基地局との間におけるデータ伝送のための中継ＵＥを割り当てることを要求する情報を含む、受信ユニットと、
前記第２のＵＥと前記第１のＵＥとの間の信号品質についての情報に従って、又は、前記第２のＵＥと前記基地局との間の信号品質についての情報及び前記第２のＵＥと前記第１のＵＥとの間の信号品質についての情報に従って、前記第２のＵＥを前記中継ＵＥとして決定する処理ユニットであって、前記第２のＵＥと前記第１のＵＥとの間の信号品質についての前記情報は、前記第１のＵＥからの中継要求情報を含む受信されたメッセージに従って、又は、前記第１のＵＥからの参照信号及び／又はＤ２Ｄ同期信号に従って測定することによって、前記第２のＵＥにより取得される、処理ユニットと、
第２のメッセージを前記第２のＵＥに送信する送信ユニットであって、前記第２のメッセージは、前記第２のＵＥが前記中継ＵＥとして動作することを示す、送信ユニットと、
を備える基地局。
【請求項１５】
前記第１のメッセージは、
前記第１のＵＥのアイデンティティ（ＩＤ）、前記第１のＵＥの信号品質についての情報、前記第１のＵＥの中継対象データのデータ量の大きさ、又は中継対象データのサービス品質（ＱｏＳ）クラス情報、中継リソース要求情報、又は前記基地局のＩＤ
の少なくとも１つを含む、
請求項１４に記載の基地局。
【請求項１６】
前記第１のメッセージは、前記中継リソース要求情報を含み、前記第２のメッセージは、中継リソース割り当て指示情報を含み、
前記中継リソース割り当て指示情報は、上位層シグナリング及び物理層シグナリングの少なくとも１つによって示され、
前記物理層シグナリングは、ダウンリンク制御情報（ＤＣＩ）を含み、前記ＤＣＩは、前記中継に関連する無線ネットワーク一時識別子（ＲＮＴＩ）によって特定される、
請求項１５に記載の基地局。
【請求項１７】
請求項１から５のいずれか１項に記載の方法をコンピュータに実行させるためのプログラム。
【発明の詳細な説明】
【技術分野】
【０００１】
本発明の実施形態は、通信分野に関し、より具体的には、データ伝送方法、ユーザ機器、及び基地局に関する。
【背景技術】
【０００２】
基地局は、セルラリンクを用いることによって、基地局のセルに位置するユーザ機器（Ｕｓｅｒ  Ｅｑｕｉｐｍｅｎｔ、ＵＥ）とのデータ通信を実行することができる。図１に示されるように、ＵＥ３０は、基地局１０のセル４０に位置する。そこで、アップリンク及びダウンリンクデータが、セルラリンクを用いることによって、基地局１０とＵＥ３０との間で伝送される。
【０００３】
しかしながら、ＵＥ２０は基地局５０のセル６０に位置するので、データ通信は、基地局１０とＵＥ２０との間で直接実行されることができない。代わりに、基地局１０とＵＥ２０との間におけるデータ伝送は、基地局５０を介して実行される必要がある。例えば、ＵＥ２０がアップリンクデータを基地局１０に送信する必要がある場合に、ＵＥ２０は、最初に、セルラリンクを用いることによって、アップリンクデータを基地局５０に送信する必要があり、次に、基地局５０が、アップリンクデータを基地局１０に転送する。例えば、基地局１０がダウンリンクデータをＵＥ２０に送信する必要がある場合に、基地局１０は、最初に、ダウンリンクデータを基地局５０に送信する必要があり、次に、基地局５０が、セルラリンクを用いることによって、ダウンリンクデータをＵＥ２０に転送する。
【０００４】
このように、セルラリンクの輻輳がもたらされるのみならず、データ伝送の遅延も長い。結果的に、データ伝送効率は低い。
【発明の概要】
【０００５】
本発明の実施形態は、データ伝送効率を確保するデータ伝送方法を提供する。
【０００６】
第１の態様によれば、データ伝送方法が提供される。データ伝送方法は、
第２のユーザ機器ＵＥによって、第１のＵＥ又は基地局によって送信された第１のメッセージを受信する段階であって、第１のメッセージは、中継要求情報を含む、段階と、
第２のＵＥによって、第１のメッセージに従って、第２のメッセージを基地局に送信する段階であって、第２のメッセージは、第２のＵＥが、第１のＵＥと基地局との間におけるデータ伝送のための中継ＵＥとして動作することを要求することを示す情報を含む、段階と、
第２のＵＥによって、基地局によって送信された第３のメッセージを受信する段階であって、第３のメッセージは、第２のＵＥに、中継ＵＥとして動作することを命令する、段階と、
を含む。
【０００７】
第２の態様によれば、データ伝送方法が提供される。データ伝送方法は、
基地局によって、第１のメッセージを受信する段階であって、第１のメッセージは、第１のＵＥと基地局との間におけるデータ伝送のための中継ＵＥを割り当てることを要求する情報を含む、段階と、
基地局によって、第２のメッセージを第２のＵＥに送信する段階であって、第２のメッセージは、第２のＵＥが中継ＵＥとして動作することを示す、段階と、
を含む。
【０００８】
第３の態様によれば、データ伝送方法が提供される。データ伝送方法は、
基地局によって、第１のメッセージを少なくとも１つのユーザ機器ＵＥに送信する段階であって、第１のメッセージは、基地局と第１のＵＥとの間におけるデータ伝送のための中継要求情報を含む、段階と、
基地局によって、少なくとも１つのＵＥのうちいくつか又は全てのＵＥの各々によって送信された第２のメッセージを受信する段階であって、第２のメッセージは、第１のメッセージに対する応答メッセージであり、いくつか又は全てのＵＥは、第２のＵＥを含む、段階と、
基地局によって、第３のメッセージを第２のＵＥに送信する段階であって、第３のメッセージは、第２のＵＥに、基地局と第１のＵＥとの間におけるデータ伝送のための中継ＵＥとして動作することを命令する、段階と、
を含む。
【０００９】
第４の態様によれば、ユーザ機器が提供される。ユーザ機器は、第２のユーザ機器ＵＥであり、
第１のＵＥ又は基地局によって送信された第１のメッセージを受信するように構成される受信ユニットであって、第１のメッセージは、中継要求情報を含む、受信ユニットと、
受信ユニットによって受信された第１のメッセージに従って、第２のメッセージを基地局に送信するように構成される送信ユニットであって、第２のメッセージは、第２のＵＥが、第１のＵＥと基地局との間におけるデータ伝送のための中継ＵＥとして動作することを要求することを示す情報を含む、送信ユニットと、
を含み、
受信ユニットは、基地局によって送信された第３のメッセージを受信するようにさらに構成され、第３のメッセージは、第２のＵＥに、中継ＵＥとして動作することを命令する。
【００１０】
第５の態様によれば、基地局が提供される。基地局は、
第１のメッセージを受信するように構成される受信ユニットであって、第１のメッセージは、第１のＵＥと基地局との間におけるデータ伝送のための中継ＵＥを割り当てることを要求する情報を含む、受信ユニットと、
第２のメッセージを第２のＵＥに送信するように構成される送信ユニットであって、第２のメッセージは、第２のＵＥが中継ＵＥとして動作することを示す、送信ユニットと、
を含む。
【００１１】
第６の態様によれば、基地局が提供される。基地局は、
第１のメッセージを少なくとも１つのユーザ機器ＵＥに送信するように構成される送信ユニットであって、第１のメッセージは、基地局と第１のＵＥとの間におけるデータ伝送のための中継要求情報を含む、送信ユニットと、
少なくとも１つのＵＥのうちいくつか又は全てのＵＥの各々によって送信された第２のメッセージを受信するように構成される受信ユニットであって、第２のメッセージは、第１のメッセージに対する応答メッセージであり、いくつか又は全てのＵＥは、第２のＵＥを含む、受信ユニットと、
を含み、
送信ユニットは、第３のメッセージを第２のＵＥに送信するようにさらに構成され、第３のメッセージは、第２のＵＥに、基地局と第１のＵＥとの間におけるデータ伝送のための中継ＵＥとして動作することを命令する。
【００１２】
第７の態様によれば、ユーザ機器が提供される。ユーザ機器は、第２のユーザ機器ＵＥであり、
第１のＵＥ又は基地局によって送信された第１のメッセージを受信するように構成される受信機であって、第１のメッセージは、中継要求情報を含む、受信機と、
受信機によって受信された第１のメッセージに従って、第２のメッセージを基地局に送信するように構成される送信機であって、第２のメッセージは、第２のＵＥが、第１のＵＥと基地局との間におけるデータ伝送のための中継ＵＥとして動作することを要求することを示す情報を含む、送信機と、
を含み、
受信機は、基地局によって送信された第３のメッセージを受信するようにさらに構成され、第３のメッセージは、第２のＵＥに、中継ＵＥとして動作することを命令する。
【００１３】
第８の態様によれば、基地局が提供される。基地局は、
第１のメッセージを受信するように構成される受信機であって、第１のメッセージは、第１のＵＥと基地局との間におけるデータ伝送のための中継ＵＥを割り当てることを要求する情報を含む、受信機と、
第２のメッセージを第２のＵＥに送信するように構成される送信機であって、第２のメッセージは、第２のＵＥが中継ＵＥとして動作することを示す、送信機と、
を含む。
【００１４】
第９の態様によれば、基地局が提供される。基地局は、
第１のメッセージを少なくとも１つのユーザ機器ＵＥに送信するように構成される送信機であって、第１のメッセージは、基地局と第１のＵＥとの間におけるデータ伝送のための中継要求情報を含む、送信機と、
少なくとも１つのＵＥのうちいくつか又は全てのＵＥの各々によって送信された第２のメッセージを受信するように構成される受信機であって、第２のメッセージは、第１のメッセージに対する応答メッセージであり、いくつか又は全てのＵＥは、第２のＵＥを含む、受信機と、
を含み、
送信機は、第３のメッセージを第２のＵＥに送信するようにさらに構成され、第３のメッセージは、第２のＵＥに、基地局と第１のＵＥとの間におけるデータ伝送のための中継ＵＥとして動作することを命令する。
【００１５】
本発明の実施形態において、基地局は、第２のＵＥを中継ＵＥと規定し、これにより、第２のＵＥは、基地局と第１のＵＥとの間におけるデータ伝送を支援することができる。このように、データ伝送効率が確保される。
【図面の簡単な説明】
【００１６】
本発明の実施形態における技術的解決手段をより明確に説明すべく、以下、実施形態又は従来技術の説明に必要な添付図面を簡潔に説明する。以下の説明における添付図面は、本発明のいくつかの実施形態を示しているに過ぎず、当業者であれば、これらの添付図面から、創造的努力なくとも他の図面をさらに導出し得ることは明らかである。
【００１７】
【図１】背景技術において説明されたシナリオの模式図である。
【００１８】
【図２】本発明の実施形態に係る適用シナリオの模式図である。
【００１９】
【図３】本発明の実施形態に係るデータ伝送方法のインタラクションフローチャートである。
【００２０】
【図４】本発明の実施形態に係る他の適用シナリオの模式図である。
【００２１】
【図５】本発明の実施形態に係る、中継が成功裏に実行されたか否かを決定するための方法のフローチャートである。
【００２２】
【図６】本発明の実施形態に係る、中継ＵＥとして動作するか否かを決定するための方法のフローチャートである。
【００２３】
【図７】本発明の他の実施形態に係るデータ伝送方法のインタラクションフローチャートである。
【００２４】
【図８】本発明の他の実施形態に係るデータ伝送方法のインタラクションフローチャートである。
【００２５】
【図９】本発明の他の実施形態に係るデータ伝送方法のインタラクションフローチャートである。
【００２６】
【図１０】本発明の実施形態に係る他の適用シナリオの模式図である。
【００２７】
【図１１】本発明の実施形態に係るデータ伝送方法のフローチャートである。
【００２８】
【図１２】本発明の他の実施形態に係るデータ伝送方法のフローチャートである。
【００２９】
【図１３】本発明の他の実施形態に係るデータ伝送方法のフローチャートである。
【００３０】
【図１４】本発明の実施形態に係るユーザ機器の構造を示すブロック図である。
【００３１】
【図１５】本発明の他の実施形態に係るユーザ機器の構造を示すブロック図である。
【００３２】
【図１６】本発明の他の実施形態に係るユーザ機器の構造を示すブロック図である。
【００３３】
【図１７】本発明の実施形態に係る基地局の構造を示すブロック図である。
【００３４】
【図１８】本発明の他の実施形態に係る基地局の構造を示すブロック図である。
【００３５】
【図１９】本発明の他の実施形態に係る基地局の構造を示すブロック図である。
【００３６】
【図２０】本発明の他の実施形態に係る基地局の構造を示すブロック図である。
【００３７】
【図２１】本発明の他の実施形態に係る基地局の構造を示すブロック図である。
【００３８】
【図２２】本発明の他の実施形態に係る基地局の構造を示すブロック図である。
【発明を実施するための形態】
【００３９】
以下、本発明の実施形態における添付図面に関連して、本発明の実施形態における技術的解決手段を明確かつ十分に説明する。説明される実施形態は、本発明の実施形態の一部であるが、その全てではないことが明らかである。本発明の実施形態に基づいて、当業者によって創造的努力なく取得される全ての他の実施形態は、本発明の保護範囲に属するものとする。
【００４０】
本発明の実施形態の技術的解決手段は、グローバルシステムフォーモバイルコミュニケーションズ（Ｇｌｏｂａｌ  Ｓｙｓｔｅｍ  ｆｏｒ  Ｍｏｂｉｌｅ  ｃｏｍｍｕｎｉｃａｔｉｏｎ、ＧＳＭ（登録商標））システム、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、ワイドバンド符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、ジェネラルパケットラジオサービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、及びユニバーサルモバイル通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）を含む、様々な通信システムに適用され得ることを理解されたい。
【００４１】
本発明の実施形態において、基地局は、ＧＳＭ（登録商標）又はＣＤＭＡにおけるベーストランシーバ基地局（Ｂａｓｅ  Ｔｒａｎｓｃｅｉｖｅｒ  Ｓｔａｔｉｏｎ、ＢＴＳ）であってよく、又はＷＣＤＭＡ（登録商標）におけるＮｏｄｅＢ（ＮｏｄｅＢ、ＮＢ）であってよく、又はＬＴＥにおける進化型ノードＢ（ｅｖｏｌｖｅｄ  Ｎｏｄｅ  Ｂ、ｅＮＢ、もしくはｅＮｏｄｅＢ）もしくは将来の５Ｇネットワークにおける基地局デバイスであってよく、これは、本発明に限定されるものではないことをさらに理解されたい。
【００４２】
本発明の実施形態において、ＵＥは、無線アクセスネットワーク（Ｒａｄｉｏ  Ａｃｃｅｓｓ  Ｎｅｔｗｏｒｋ、ＲＡＮ）を介して、１つ又は複数のコアネットワーク（Ｃｏｒｅ  Ｎｅｔｗｏｒｋ）との通信を実行してよいことをさらに理解されたい。ＵＥは、アクセス端末、端末デバイス、ユーザユニット、ユーザサイト、モバイルサイト、モバイル局、遠隔局、遠隔端末、モバイルデバイス、ユーザ端末、端末、無線通信デバイス、ユーザプロキシ、又はユーザ装置と称されてよい。ＵＥは、携帯電話、コードレス電話、セッション初期化プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティングデバイス、無線モデムに接続される他の処理デバイス、車載デバイス、ウェアラブルデバイス、又は将来の５Ｇネットワークにおける端末デバイスであってよい。
【００４３】
デバイスツーデバイス通信は、直接通信技術である。ＵＥ間で交換されるデータは、基地局によって転送される必要がない。ＵＥは、直接インタラクションしてよく、又は、ネットワークの支援により、直接インタラクションしてよい。
【００４４】
デバイスツーデバイス通信は、３つの動作シナリオを有する。これらはそれぞれ、カバレッジ内の動作シナリオ、カバレッジ外の動作シナリオ、及び一部カバレッジ内の動作シナリオである。カバレッジ内の動作シナリオにおいて、デバイスツーデバイス通信に参加する全てのユーザ機器は、基地局のサービス範囲内に位置する。カバレッジ外のシナリオでは、デバイスツーデバイス通信に参加する全てのユーザ機器は、基地局のサービス範囲外に位置する。一部カバレッジ内のシナリオでは、デバイスツーデバイス通信に参加するユーザ機器のいくつかは、基地局のサービス範囲内に位置し、他のユーザ機器は、基地局のサービス範囲外に位置する。
【００４５】
関連用語の説明：デバイスツーデバイス通信（Ｄｅｖｉｃｅ  ｔｏ  Ｄｅｖｉｃｅ、Ｄ２Ｄ）は、複数のデバイス間のデータが、第３のデバイスを用いることなく、データ伝送中に互いに直接伝送可能であることを意味する。典型的には、異なるＵＥは、基地局のようなネットワークデバイスによる転送を行うことなく、互いに送受信を直接実行してよい。Ｄ２Ｄリンクは、いくつかの場合には、サイドリンク（Ｓｉｄｅｌｉｎｋ）とも称される。本発明において、Ｄ２Ｄという用語は、名称の表現として用いられる。しかしながら、当該用語は、本発明における方法の範囲を限定するものではない。
【００４６】
デバイスツーデバイス通信は、デバイスツーデバイス（Ｄｅｖｉｃｅ  ｔｏ  Ｄｅｖｉｃｅ、Ｄ２Ｄ）発見（Ｄ２Ｄ  ｄｉｓｃｏｖｅｒｙ）及びＤ２Ｄ通信（Ｄ２Ｄ  ｃｏｍｍｕｎｉｃａｔｉｏｎ）を含む。
【００４７】
Ｄ２Ｄ発見は、ユーザ機器が発見メッセージ（ｄｉｓｃｏｖｅｒｙ  ｍｅｓｓａｇｅ）を送信し、他のユーザ機器が、発見メッセージを読み出すことによって、発見メッセージを送信したユーザ機器についての情報を取得することを意味する。発見メッセージは、発見メッセージを送信したユーザ機器のアイデンティティ（ｉｄｅｎｔｉｔｙ）のような識別情報を含んでよい。
【００４８】
Ｄ２Ｄ発見は、２つのタイプ（ｔｙｐｅ）、すなわち、タイプ１（ｔｙｐｅ  １）及びタイプ２（ｔｙｐｅ  ２）を含む。タイプ１は、Ｄ２Ｄ発見のための複数のユーザ機器のリソースプール（タイプ１のＤ２Ｄ発見のためのリソースプールと称されることもある）が、ユーザ自身によって構成又は選択されることを意味する。タイプ２は、Ｄ２Ｄ発見のための１つのユーザ機器の送信リソースが、基地局によって構成されることを意味する。
【００４９】
Ｄ２Ｄ通信は、ユーザ機器が制御情報及びデータを送信し、他のユーザ機器が、後のデータを正しく受信すべく、制御情報を読み出すことによって、後のデータの送信フォーマットのような情報を取得することを意味する。
【００５０】
Ｄ２Ｄ通信は、２つのモード（ｍｏｄｅ）、すなわち、モード１（ｍｏｄｅ  １）及びモード２（ｍｏｄｅ  ２）を含む。モード１は、基地局又は中継（ｒｅｌａｙ）ノードが、デバイスツーデバイス通信のデータ及び制御情報を伝送するために、ユーザ機器によって用いられるリソースをスケジューリングすることを意味する。具体的には、制御情報は、スケジューリング割り当て（Ｓｃｈｅｄｕｌｉｎｇ  Ａｓｓｉｇｎｍｅｎｔ、ＳＡ）メッセージであってよい。Ｄ２Ｄ通信のモード１において、基地局は、ダウンリンクシグナリングを用いることによって、スケジューリング割り当て及びデータを送信するためにユーザ機器によって用いられるリソース、フォーマット等を示す。モード２は、ユーザ機器が、リソースプール（リソースプールは、モード２のＤ２Ｄ通信のためのリソースプールと称されることがある）から、直接通信のデータ及びＳＡメッセージを伝送するために用いられるリソースを選択することを意味する。モード２のＤ２Ｄ通信のためのリソースプールは、ＳＡメッセージリソースプール及びＳＡメッセージに対応するデータのためのリソースプールを含んでよい。換言すると、ユーザ機器は、ＳＡメッセージリソースプールから、ＳＡメッセージを伝送するために用いられるリソースを選択し、ＳＡメッセージに対応するデータのリソースプールから、ＳＡメッセージに対応するデータを伝送するために用いられるリソースを選択してよい。リソースプールは、通信リソースのグループであり、複数の通信リソースのセットである。
【００５１】
図２は、本発明の実施形態に係る適用シナリオの模式図である。具体的には、本発明の本実施形態は、主に、基地局１０とＵＥ２０との間におけるデータ通信を実装するために用いられる。さらに、図２は、基地局１０のセル４０に位置するＵＥ３０をさらに示す。すなわち、基地局１０は、ＵＥ３０のサービング基地局である。さらに、本発明の本実施形態において、Ｄ２Ｄ通信が、ＵＥ２０とＵＥ３０との間で実行可能であると仮定する。
【００５２】
本発明の本実施形態において、ＵＥ３０は、基地局１０とのデータ伝送を直接実行してよく、ＵＥ２０は、基地局１０とのデータ伝送を直接実行しない。本明細書において、ＵＥ２０が基地局１０とのデータ伝送を直接実行しない理由は、距離が長過ぎること、もしくは信号品質が低過ぎることのような客観的理由であってよく、又は、主観的理由であってよい。例えば、基地局１０は、ＵＥ２０が基地局とのデータ伝送を実行することを許可しない。
【００５３】
図２（ａ）に示されるように、ＵＥ２０は、基地局１０のセル４０の外に位置する。ＵＥ２０は、最初に基地局１０のセル４０内に位置し、その後、位置変更に起因して、ＵＥ２０はセル４０の外に移動し、結果的に、基地局１０との通信を直接実行することが不可能となったものと仮定する。この場合、ＵＥ３０は、中継ＵＥとして動作し、ＵＥ２０と基地局１０との間におけるデータ伝送を支援してよい。この場合、ＵＥ２０は、遠隔ＵＥ（ｒｅｍｏｔｅ  ＵＥ）と称されてよく、中継として動作するＵＥ３０は、中継ＵＥ（ｒｅｌａｙ  ＵＥ）と称されてよい。
【００５４】
このシナリオにおいて、アップリンクデータに関しては、ＵＥ２０は、データをＵＥ３０に直接送信してよい。あるいは、ＵＥ２０は、データをＵＥ３０に間接的に送信してよい。例えば、データは、最初に、ＵＥ２０によって１つ又は複数の中間ＵＥ（図２（ａ）に示されるＵＥ２１）に送信され、次に、１つ又は複数の中間ＵＥによってＵＥ３０に転送される。ダウンリンクデータに関しては、ＵＥ３０は、基地局１０によって送信されたデータを、ＵＥ２０に直接送信してよい。あるいは、ＵＥ３０は、１つ又は複数の中間ＵＥ（例えば、ＵＥ２１）を介して、基地局１０によって送信されたデータを、ＵＥ２０に間接的に送信してよい。
【００５５】
図２（ａ）に示されるＵＥ２１はセル４０の外に位置するが、本明細書において説明される１つ又は複数の中間ＵＥは、全てセル４０の外に位置しても、全てセル４０内に位置してもよく、又は、複数の中間ＵＥのうちいくつかがセル４０内に位置し、他の中間ＵＥがセル４０の外に位置してよいことに留意されたい。これは、本発明に限定されるものではない。
【００５６】
本発明の本実施形態において、遠隔ＵＥとして動作するＵＥ２０が基地局１０のセル内に位置しないということ、又は、ＵＥ２０が基地局のカバレッジ範囲内に位置しないということ、又は、ＵＥ２０が基地局１０のサービス範囲内に位置しないということにおける説明の意味は、一致している。
【００５７】
図２（ａ）に示されるＵＥ２０とＵＥ３０との間におけるＤ２Ｄ通信は、一部カバレッジ内（ｐａｒｔｉａｌ−ｉｎ−ｃｏｖｅｒａｇｅ）のシナリオであることが理解されよう。
【００５８】
図２（ｂ）に示されるように、ＵＥ２０は空間的には基地局１０のセル内に位置するが、他の理由に起因して、ＵＥ２０は基地局１０との通信を標準的に実行することが不可能となっている。例えば、ＵＥ２０と基地局１０との間のセルラリンクに、障害が発生している。他の例では、ＵＥ２０の電気量が過剰に小さくなっている。さらに他の例では、ＵＥ２０は空間的にはセル内に位置するが、ＵＥ２０と基地局１０との間の信号品質が過剰に低い（例えば、ＵＥ２０は、ネットワーク信号が比較的弱い地下に位置する）。さらに他の例が存在する。この場合、ＵＥ３０は、ＵＥ２０と基地局１０との間におけるデータ伝送を支援すべく、中継ＵＥとして動作してもよい。
【００５９】
このシナリオにおいて、アップリンクデータに関しては、ＵＥ２０は、データをＵＥ３０に直接送信してよい。あるいは、ＵＥ２０は、データをＵＥ３０に間接的に送信してよい。例えば、データは、最初に、ＵＥ２０によって１つ又は複数の中間ＵＥ（図２（ｂ）に示されるＵＥ２１）に送信され、次に、１つ又は複数の中間ＵＥによってＵＥ３０に転送される。ダウンリンクデータに関しては、ＵＥ３０は、基地局１０によって送信されたデータを、ＵＥ２０に直接送信してよい。あるいは、ＵＥ３０は、１つ又は複数の中間ＵＥ（例えば、ＵＥ２１）を介して、基地局１０によって送信されたデータを、ＵＥ２０に間接的に送信してよい。
【００６０】
図２（ｂ）に示されるＵＥ２０とＵＥ３０との間におけるＤ２Ｄ通信は、カバレッジ内（ｉｎ−ｃｏｖｅｒａｇｅ）のシナリオであることが理解されよう。
【００６１】
このように、図２に示されるシナリオにおいて、ＵＥ３０の１つ又は複数は、中継ノードとして動作してよく、従って、少なくとも２つの直接リンクが、ＵＥ２０と基地局１０との間に存在する。中継ネットワークは、高周波数利用及び高データ伝送能力のために増加する通信システムの要件を満たすための、重要な方向であることを理解されたい。
【００６２】
説明を容易にするために、本明細書は、以下、１つの中継ＵＥのみが遠隔ＵＥから基地局へのデータ伝送において用いられる例を用いることによって、本発明における方法を説明する。しかしながら、これは、ネットワーク内及び／又はネットワーク間の複数の中継ＵＥを用いることによって、遠隔ＵＥから基地局へとデータを中継するための方法を排除するものではない。２つの方法の間の違いは、遠隔ＵＥから、最後にデータを基地局へと送信する中継ＵＥに、データが直接伝送されるか、又は、他の複数の中継ＵＥを用いることによって転送されるかということにある。
【００６３】
適用シナリオにおいて中継ＵＥを選択するための方法、及び中継ＵＥを介してデータ伝送方法をさらに実行するための方法が、後続の本発明の実施形態において詳細に説明される。
【００６４】
図３は、本発明の実施形態に係るデータ伝送方法のインタラクションフローチャートである。図３は、基地局１０、第１のＵＥ２０、第２のＵＥ３１、及び第３のＵＥ３２を示す。
【００６５】
基地局１０は、図２における基地局１０とみなされてよい。第１のＵＥ２０は、図２（ａ）又は図２（ｂ）におけるＵＥ２０とみなされてよい。第２のＵＥ３１は、図２におけるＵＥ３０の１つとみなされてよい。第３のＵＥ３２は、図２におけるＵＥ３０の他の１つとみなされてよい。第２のＵＥ３１及び第３のＵＥ３２は、基地局１０のセル内に位置する。すなわち、基地局１０は、第２のＵＥ３１及び第３のＵＥ３２のサービング基地局である。さらに、第１のＵＥ２０は、第２のＵＥ３１とのＤ２Ｄ通信を実行してよい。第１のＵＥ２０は、第３のＵＥ３２とのＤ２Ｄ通信を実行してよい。第２のＵＥ３１は、セルラリンクを用いることによって、基地局１０との通信を実行してよい。第３のＵＥ３２は、セルラリンクを用いることによって、基地局１０との通信を実行してよい。
【００６６】
本発明の本実施形態において、第１のＵＥ２０は、基地局１０とのデータ伝送を直接実行することが不可能であると仮定する。第１のＵＥ２０が基地局１０との通信を直接実行することが不可能である理由は、第１のＵＥ２０が、基地局１０との直接通信を実行するための条件を満たしていないことであってよく、又は、ネットワーク側が、第１のＵＥ２０が中継ＵＥを介して基地局１０との通信を実行する必要があることを示していることであってよい。
【００６７】
アップリンク伝送に関しては、第１のＵＥ２０は、データを送信する必要がある元のＵＥであり、第２のＵＥ３１は、中継ＵＥであり、第２のＵＥ３１は、基地局１０とのデータ伝送を直接実行することに留意されたい。本発明において、実装される必要があるものは、第１のＵＥの送信対象データが第２のＵＥを介して基地局に送信されるプロセスである。任意選択的に、第１のＵＥは、第２のＵＥを介して、ワンホップで、送信対象データを基地局に直接送信してよい。任意選択的に、第１のＵＥは、送信対象データを１つ又は複数の中間ＵＥに送信してよく、次に、送信対象データは、第２のＵＥに送信される。第２のＵＥは、次に、第１のＵＥから受信された送信対象データを、基地局に転送する。ただし、いずれの場合も、本発明の本実施形態において説明される第１のＵＥ２０は、データを送信する必要がある元のＵＥであり、第２のＵＥ３０は、第１のＵＥから受信された送信対象データを基地局１０に直接送信するＵＥである。
【００６８】
図３に示される方法は、以下の段階を含む。
【００６９】
３０１．第１のＵＥ２０は、第１のメッセージをＤ２Ｄ方式で送信する。ここで、第１のメッセージは、中継要求情報を含む。
【００７０】
本明細書において、中継要求情報は、第１のＵＥ２０と基地局１０との間におけるデータ伝送のための中継ＵＥを決定する（又は規定するもしくは割り当てる）ことを要求する情報と解されてよい。さらに、中継要求情報は、明示的に又は暗示的に、第１のメッセージに含まれてよい。
【００７１】
中継要求情報は、第１のメッセージにおいて送信される、中継要求情報を明示的に示すフィールドもしくは中継要求情報を暗示的に示すフィールドであってよく、又は、他の方式で暗示的に示される、第１のメッセージと共に送信される中継要求情報であってよい。中継要求情報を示すために用いられる他の方式は、第１のメッセージが、あらゆる特定の方式、例えば、第１のメッセージによって用いられる時間−周波数リソースの位置又は範囲、第１のメッセージによって用いられるスクランブルシーケンス、第１のメッセージによって用いられる巡回冗長検査（Ｃｙｃｌｉｃ  Ｒｅｄｕｎｄａｎｃｙ  Ｃｈｅｃｋ、ＣＲＣ）マスク、又は第１のメッセージによって用いられる復調参照信号のシーケンスで、伝送される伝送方式を含む。
【００７２】
中継要求情報は、参照信号及び／又はＤ２Ｄ同期信号によって示されてよい。すなわち、第１のメッセージは、中継要求情報を示す参照信号及び／又はＤ２Ｄ同期信号を含んでよい。参照信号は、特定のシーケンスを用いることによって送信される信号である。例えば、参照信号は、位置決めのために用いられる参照信号、Ｄ２Ｄ伝送中にデータチャネルを復調するために用いられる復調参照信号、又はＤ２Ｄ制御チャネル復調のために用いられる復調参照信号であってよい。Ｄ２Ｄ同期信号は、Ｄ２Ｄリンクデバイスを同期するためにＤ２Ｄリンクにおいて送信される参照信号、例えば、Ｄ２Ｄ通信に用いられるプライマリ同期信号、Ｄ２Ｄ通信に用いられるセカンダリ同期信号、又はＤ２Ｄ通信に用いられる同期信号、又はＤ２Ｄ発見に用いられる同期信号である。中継要求情報が参照信号及び／又はＤ２Ｄ同期信号によって示されることは、特定の参照信号及び／又は特定の同期信号が中継要求情報を伝送するように送信されることを意味する。これは、信号によって用いられるリソースが特定のものであることを意味する。リソースは、特定の時間ドメインリソース、特定の周波数ドメインリソース、特定のコードドメインリソース（参照信号によって用いられるシーケンスの特定のサイクリックシフト、特定の直交マスク、特定のスクランブリングシーケンス等）、又は特定の空間ドメインリソース（特定のアンテナポート又は特定の空間層）の少なくとも１つを含む。特定のリソースは、予め定義されてよい、又は、セルラリンクを用いることによって伝送されるシグナリング、もしくはＤ２Ｄリンクを用いることによって伝送されるシグナリングを用いることによって構成されてよい。
【００７３】
あるいは、第１のメッセージは、参照信号及び／又はＤ２Ｄ同期信号の形式であってよい。すなわち、参照信号及び／又は同期信号は、中継要求を表すために用いられる。例えば、１つのタイプの参照信号及び／又はＤ２Ｄ同期信号は、中継要求参照信号及び／又は中継要求Ｄ２Ｄ同期信号として直接定義される。第１のＵＥが中継要求を有する場合に、信号は、直接送信される。信号は、特定の送信特徴を有する。これらの特徴は、特定の時間ドメインリソース、特定の周波数ドメインリソース、特定のコードドメインリソース（参照信号によって用いられるシーケンスの特定のサイクリックシフト、特定の直交マスク、特定のスクランブリングシーケンス等）、又は特定の空間ドメインリソース（異なるアンテナポートもしくは異なる空間層）を用いることを含む。特定のリソースは、予め定義されてよく、又は、セルラリンクを用いることによって伝送されるシグナリング、もしくはＤ２Ｄリンクを用いることによって伝送されるシグナリングを用いることによって構成されてよい。
【００７４】
具体的には、第１のＵＥ２０がアップリンクデータを基地局１０に送信する必要がある場合に、第１のＵＥ２０は基地局１０とのデータ伝送を直接実行することは不可能なので、第１のＵＥ２０が第１のメッセージを送信する。第１のＵＥ２０によって基地局１０に送信される必要があるアップリンクデータは、中継対象データと称されてよい。
【００７５】
本明細書において、第１のＵＥ２０が基地局１０とのデータ伝送を実行することが不可能な理由は、以下の通りである。
【００７６】
（１）基地局１０は、第１のＵＥ２０のサービング基地局であるが、基地局１０は、第１のＵＥ２０が中継ＵＥを介して基地局１０との通信を実行する必要があることを示す。
【００７７】
（２）基地局１０は第１のＵＥ２０のサービング基地局であるが、第１のＵＥ２０は、基地局１０への有効なＲＲＣ接続を確立することが不可能である。
【００７８】
（３）第１のＵＥ２０は、基地局１０のサービス範囲外に位置する。換言すると、基地局１０は、第１のＵＥ２０のサービング基地局ではない。
【００７９】
具体的には、第１のＵＥ２０は、第１のメッセージをＤ２Ｄブロードキャスト形式で送信する。このように、第１のＵＥとのＤ２Ｄ通信を実行可能なＵＥは、第１のメッセージを受信することできる。
【００８０】
第１のメッセージは、第１のＵＥのアイデンティティ（Ｉｄｅｎｔｉｔｙ、ＩＤ）、第１のＵＥのネットワークステータス情報、中継対象データのデスティネーションアドレス、中継対象データのデータ量の大きさ、又は中継対象データのサービス品質（Ｑｕａｌｉｔｙ  ｏｆ  Ｓｅｒｖｉｃｅ、ＱｏＳ）クラス情報の少なくとも１つを含んでよい。
【００８１】
第１のＵＥのネットワークステータス情報は、第１のＵＥのネットワークステータスを示すために用いられ、第１のＵＥのネットワークステータスは、第１のＵＥがネットワーク内に位置する、第１のＵＥがネットワーク外に位置する、第１のＵＥがネットワーク内に位置し、ＲＲＣ接続を確立可能である、第１のＵＥがネットワーク内に位置するが、無線リンク障害（ＲＬＦ）を有する、第１のＵＥがネットワーク内に位置するが、セルラリンクを用いることによって伝送を実行することが制限もしくは禁止されている、又はセルラリンクを用いることによって通信を実行する機能もしくはそのためのモジュールを有さない、又は第１のＵＥがネットワーク外に位置するが、ネットワーク内Ｄ２Ｄ同期ソースを同期参照として用いている、のいずれか１つであってよい。
【００８２】
第１のＵＥのネットワークステータス情報は、第１のＵＥ２０が基地局１０のサービス範囲外に位置することを示してよい。
【００８３】
中継対象データのデスティネーションアドレスは、基地局１０であってよく、中継対象データのデスティネーションアドレスは、他の基地局又は他の基地局のセル内の他のＵＥであってよいが、中継対象データは基地局１０によって転送される必要がある。すなわち、中継対象データは、基地局１０に送信される必要がある。
【００８４】
ＱｏＳクラスに関しては、以下の表１に示されるＱｏＳクラス識別子（ＱｏＳ  Ｃｌａｓｓ  Ｉｄｅｎｔｉｆｉｅｒ、ＱＣＩ）の表を参照されたい。
【表１】
0006472537.tif 000002
【００８５】
本発明の本実施形態において、第２のＵＥ３１及び第３のＵＥ３２は、第１のＵＥ２０によって送信された第１のメッセージを受信することができると仮定する。
【００８６】
３０１において、第１のＵＥ２０は、第１のメッセージを第２のＵＥ３１及び第３のＵＥ３２に直接送信してよく、又は、第１のメッセージを第２のＵＥ３１及び第３のＵＥ３２に間接的に送信してよく、これは、本発明に限定されるものではないことに留意されたい。例えば、第１のＵＥ２０は、１つ又は複数の中間ＵＥを介して、第１のメッセージを第２のＵＥ３１及び第３のＵＥ３２に間接的に送信してよい。
【００８７】
任意選択的に、第１のメッセージが第２のＵＥ３１に送信される例が用いられる。中継要求情報は、第１のＵＥ２０が第２のＵＥ３１に、中継ＵＥとして動作することを要求する情報として理解されよう。
【００８８】
３０２．第２のＵＥ３１及び／又は第３のＵＥ３２は、第２のメッセージを基地局１０に送信する。ここで、第２のメッセージは、第１のＵＥと基地局との間におけるデータ伝送のための中継ＵＥとして動作することを要求する情報を含む。
【００８９】
本明細書において、第２のメッセージを基地局１０に送信するＵＥは、中継ＵＥ候補と称されてよく、第２のメッセージは、第１のＵＥ２０と基地局１０との間におけるデータ伝送のための中継ＵＥとして動作することを要求する要求情報を含む。
【００９０】
例えば、第２のＵＥ３１が第１のＵＥ２０と基地局１０との間におけるデータ伝送のための中継ＵＥとして動作することを期待する場合に、第２のＵＥ３１は、第２のメッセージを基地局１０に送信し、第２のメッセージは、当該期待に関連する要求情報を含む。
【００９１】
任意選択的に、第２のＵＥ３１を例として用いる実施形態において、第１のメッセージを受信した後で、第２のＵＥ３１は、第１のメッセージを基地局に転送してよく、転送された第１のメッセージは、３０２において、第２のメッセージとみなされてよい。すなわち、第２のＵＥ３１は、第１のメッセージを転送し、これは、中継ＵＥとして動作することを要求する情報を暗示的に含む。
【００９２】
任意選択的に、実施形態において、第１のメッセージを受信した後で、第２のＵＥ３１及び第３のＵＥ３２は、各々、第１のＵＥ２０の中継要求を認識し、次に、第２のメッセージを基地局１０に送信してよい。
【００９３】
任意選択的に、他の実施形態において、３０２は、第１のメッセージを受信した後で、第２のＵＥ３１及び第３のＵＥ３２の各々によって、予め設定された第１の条件が満たされたか否かを決定する段階と、予め設定された第１の条件が満たされたと決定した場合に、第２のメッセージを基地局１０に送信する段階とを含む。
【００９４】
予め設定された第１の条件は、第１のＵＥのネットワークステータス情報が、第１のＵＥが基地局とのデータ伝送を直接実行することが不可能であることを示すこと、第２のＵＥと基地局との間の信号品質が、第１の閾値より低く、第２の閾値より高いこと、又は、第２のＵＥが第１のメッセージを受信した受信信号品質が、第３の閾値より高いことの少なくとも１つを含む。
【００９５】
任意選択的に、第１のメッセージが第１のＵＥのネットワークステータス情報を含む場合に、予め設定された第１の条件は、第１のＵＥのネットワークステータス情報が、第１のＵＥが基地局とのデータ伝送を直接実行することが不可能であることを示すことであってよい。第２のＵＥ３１を例として用いると、第１のメッセージが第１のＵＥのネットワークステータス情報を含む場合に、第２のＵＥ３１は、最初に、ネットワークステータス情報によって示されるコンテンツを決定してよい。これが、第１のＵＥが基地局とのデータ伝送を直接実行することが不可能であることを示す場合に、第２のＵＥ３１は、第２のメッセージを基地局１０に送信してよい。
【００９６】
任意選択的に、予め設定された第１の条件は、第２のＵＥと基地局との間の信号品質が、第１の閾値より低く、第２の閾値より大きいことであってよい。本明細書において、第１の閾値及び第２の閾値は、プロトコルを用いることによって、予め定義されてよく、又は、シグナリングを用いることによって、基地局によって構成されてよい。第１の閾値は、第２の閾値より大きいことが理解されよう。第２のＵＥと基地局との間の信号品質が第１の閾値より低いことは、第２のＵＥがセルの端に位置することを示す。第２のＵＥと基地局との間の信号品質が第２の閾値より大きいことは、第２のＵＥの信号品質が通信要件を満たしていることを示す。
【００９７】
任意選択的に、予め設定された第１の条件は、第２のＵＥが第１のメッセージを受信した受信信号品質が第３の閾値より高いことであってよい。第２のＵＥ３１を例として用いると、第２のＵＥ３１は、最初に、第１のメッセージを受信した受信信号品質を決定し、次に、受信信号品質を第３の閾値と比較する必要がある。本明細書において、第３の閾値は、予め定義されてよく、又は、シグナリングを用いることによって、基地局によって予め構成されてよい。
【００９８】
すなわち、第２のＵＥ３１及び第３のＵＥ３２は、予め設定された第１の条件が満たされたか否かを決定することによって、第２のＵＥ３１及び第３のＵＥ３２が中継ＵＥ候補として動作可能であるか否かを決定してよい。
【００９９】
任意選択的に、他の実施形態において、第２のＵＥ３１及び第３のＵＥ３２は、各々、予め設定された確率に従って、第２のメッセージを基地局１０に送信してよい。
【０１００】
すなわち、第２のＵＥ３１及び第３のＵＥ３２は、予め設定された確率を用いることによって、第２のＵＥ３１及び第３のＵＥ３２が中継ＵＥ候補として動作可能であるか否かを決定してよい。
【０１０１】
あるいは、予め設定された第１の条件が満たされたと決定された場合に、第２のメッセージは、予め設定された確率に従って、基地局１０に送信される。
【０１０２】
すなわち、第２のＵＥ３１及び第３のＵＥ３２は、予め設定された第１の条件が満たされたか否かを決定することによって、かつ、予め設定された確率を用いることによって、第２のＵＥ３１及び第３のＵＥ３２が中継ＵＥ候補として動作可能であるか否かを決定してよい。
【０１０３】
このように、本発明の本実施形態において、確率ベースの選択方法によって、基地局に報告される情報を減少させることができ、基地局によって中継ＵＥを選択する動作負荷を減少させることができ、中継ＵＥを選択する効率をさらに改善する。
【０１０４】
基地局は、最初に、確率値Ｐｒｂを（例えば、ブロードキャストメッセージもしくはＲＲＣメッセージを用いることによって）予め構成又は予め定義してよい。このように、第２のＵＥ３１及び第３のＵＥ３２は、各々、確率値Ｐｒｂに従って、第２のメッセージを送信してよい。
【０１０５】
例えば、Ｐｒｂ＝０．５の場合、第２のメッセージを送信する確率は、５０％である。第２のＵＥ３１を例として用いると、実際の決定方法は、第２のＵＥ３１によって、０から１００の乱数を等しい確率方式で生成する段階と、生成された乱数が５０より大きい場合に、第２のＵＥ３１によって、この時に第２のメッセージを送信すると決定する段階と、さもなければ、この時は第２のメッセージを送信しないと決定する段階と、であってよい。
【０１０６】
他の例では、Ｐｒｂ＝０．２５の場合、第２のＵＥ３１は、０から１００の乱数を等しい確率方式で生成する。生成された乱数が２０より大きい場合に、第２のＵＥ３１は、この時は第２のＵＥ３１が第２のメッセージを送信可能であると決定し、さもなければ、第２のＵＥ３１は、この時は第２のメッセージを送信しないと決定する。
【０１０７】
本発明の本実施形態において、第２のメッセージは、第２のメッセージのソースアドレスを示すべく、第２のＵＥ３１のＩＤをさらに含む。
【０１０８】
任意選択的に、第２のメッセージは、第２のメッセージのデスティネーションアドレスを示すべく、基地局１０のＩＤをさらに含んでよい。
【０１０９】
任意選択的に、第２のメッセージは、第１のＵＥ２０のＩＤ及び第１のＵＥの信号品質についての情報をさらに含んでよい。本明細書において、信号品質についての情報は、その後、基地局１０によって、中継ＵＥを決定するために用いられてよい。
【０１１０】
第１のＵＥの信号品質についての情報は、第１のＵＥによって送信されて受信された第１のメッセージ、又は第１のＵＥによって送信された参照信号及び／又はＤ２Ｄ同期信号に従って測定することによって、第２のＵＥによって取得された品質情報であり、第１のＵＥによって伝送された信号に対応する。情報は、参照信号受信電力（Ｒｅｆｅｒｅｎｃｅ  Ｓｉｇｎａｌ  Ｒｅｃｅｉｖｅｄ  Ｐｏｗｅｒ、ＲＳＲＰ）、参照信号受信品質（Ｒｅｆｅｒｅｎｃｅ  Ｓｉｇｎａｌ  Ｒｅｃｅｉｖｅｄ  Ｑｕａｌｉｔｙ、ＲＳＲＱ）、又は受信信号強度指標（Ｒｅｃｅｉｖｅｄ  Ｓｉｇｎａｌ  Ｓｔｒｅｎｇｔｈ  Ｉｎｄｉｃａｔｉｏｎ、ＲＳＳＩ）の少なくとも１つであってよい。参照信号は、復調参照信号であってよく、又は、Ｄ２Ｄ同期信号におけるいくつかもしくは全ての信号であってよい。
【０１１１】
他のシナリオにおいて、第１のメッセージが、１つ又は複数の中間ＵＥを介して、第１のＵＥ２０によって第２のＵＥ３１に送信される場合に、第２のメッセージに含まれる第１のＵＥの信号品質についての情報は、第２のＵＥ３１によって、中間ＵＥから取得されてよいことが理解されよう。
【０１１２】
第１のメッセージが中継対象データのデータ量の大きさを含む場合に、第２のメッセージは、中継対象データのための伝送リソースを要求する中継リソース要求情報を含んでよく、これにより、基地局は、好適な量のアップリンク送信リソースを第２のＵＥに割り当てることが理解されよう。第１のメッセージが中継対象データのＱｏＳクラス情報を含む場合に、第２のメッセージは、中継対象データのＱｏＳクラス情報を含んでよく、これにより、基地局がアップリンク送信リソースを第２のＵＥに割り当てる場合に、対応するＱｏＳ要件が考慮される。
【０１１３】
任意選択的に、第２のＵＥ３１及び第３のＵＥ３２が、各々、第２のメッセージを送信する場合に、タイマが始動されてよい。このように、基地局１０の応答メッセージがタイマによって設定された時間内に受信されない場合、基地局１０は、第２のＵＥ３１及び第３のＵＥ３２を中継ＵＥとして用いないものとみなされてよい。あるいは、基地局１０の応答メッセージがタイマによって設定された時間内に受信されない場合、第２のメッセージが再送信されてよい。最大再送信数は、予め設定されてよく、又は基地局１０によって予め構成されてよい。
【０１１４】
本実施形態において、第１のメッセージを受信するＵＥの数は、第２のメッセージを送信するＵＥの数より大きい又はこれに等しいことに留意されたい。
【０１１５】
３０３．基地局１０は、中継ＵＥを決定する。
【０１１６】
基地局１０は、少なくとも１つのＵＥによって送信された第２のメッセージを受信し、少なくとも１つのＵＥのうちの１つを中継ＵＥとして選択することが理解されよう。
【０１１７】
基地局１０は、少なくとも１つの中継ＵＥ候補から、１つ又は複数のＵＥを中継ＵＥとして選択することが理解されよう。
【０１１８】
具体的には、基地局１０は、少なくとも１つのＵＥと基地局１０との間の信号品質についての情報に従って、中継ＵＥを決定してよい。
【０１１９】
例えば、基地局１０は、ＵＥを中継ＵＥとして決定してよい。ここで、ＵＥと基地局１０との間の信号品質についての情報が、最適である。
【０１２０】
あるいは、第２のメッセージが第１のＵＥの信号品質についての情報を含む場合に、基地局１０は、少なくとも１つのＵＥと第１のＵＥ２０との間の信号品質についての情報に従って、中継ＵＥを決定してよい。
【０１２１】
例えば、第２のＵＥ３１によって、第１のＵＥによって送信された第１のメッセージを受信する信号品質が、第３のＵＥ３２によって、第１のＵＥによって送信された第１のメッセージを受信する信号品質より大きい場合に、基地局１０は、第２のＵＥ３１を中継ＵＥとして決定してよい。
【０１２２】
本実施形態において、基地局１０は、１つ又は複数の中継ＵＥを決定してよいことに留意されたい。すなわち、基地局１０は、少なくとも１つのＵＥのうち１つ又は複数のＵＥを中継ＵＥとして規定してよく、これは、本発明に限定されるものではない。
【０１２３】
本明細書において、基地局１０によって決定された中継ＵＥが、第２のＵＥ３１であると仮定する。
【０１２４】
３０４．基地局１０は、第３のメッセージを第２のＵＥ３１に送信する。ここで、第３のメッセージは、第２のＵＥに、第１のＵＥと基地局との間におけるデータ伝送のための中継ＵＥとして動作することを命令する指示情報を含む。
【０１２５】
すなわち、第３のメッセージは、第２のＵＥに、第１のＵＥと基地局との間におけるデータ伝送のための中継ＵＥとして動作することを命令する。
【０１２６】
基地局１０は、３０３において決定された中継ＵＥに、第３のメッセージを送信することが理解されよう。複数の中継ＵＥが３０３において決定された場合に、基地局１０は、第３のメッセージを複数の中継ＵＥに送信する。
【０１２７】
さらに、第２のメッセージが中継リソース要求情報を含む場合に、第３のメッセージは、中継リソース割り当て指示情報をさらに含んでよい。
【０１２８】
任意選択的に、中継リソース割り当て指示情報は、上位層シグナリング及び／又は物理層シグナリングによって示されてよい。物理層シグナリングは、ダウンリンク制御情報（Ｄｏｗｎｌｉｎｋ  Ｃｏｎｔｒｏｌ  Ｉｎｆｏｒｍａｔｉｏｎ、ＤＣＩ）を含んでよく、ＤＣＩは、中継に関連する無線ネットワーク一時識別子（Ｒａｄｉｏ  Ｎｅｔｗｏｒｋ  Ｔｅｍｐｏｒａｒｙ  Ｉｄｅｎｔｉｆｉｅｒ、ＲＮＴＩ）によって特定されてよい。
【０１２９】
第２のメッセージに対する応答として用いられる第３のメッセージは、直接応答データパケットもしくは直接応答シグナリングであってよく、又は、暗示的な指示シグナリングであってよいことに留意されたい。例えば、第３のメッセージは、新たなＤＣＩフォーマットを用いることによって（例えば、中継に関連するＲＮＴＩを、ＤＣＩのＣＲＣスクランブルとして用いることによって）、指示を与える。
【０１３０】
第２のＵＥ３１が、３０２において第２のメッセージを送信した場合にタイマを始動させた場合、３０４は、第２のＵＥ３１が、タイマによって設定された時間内に、基地局１０から第３のメッセージを受信したことを意味することが理解されよう。
【０１３１】
任意選択的に、基地局１０は、第４のメッセージを第３のＵＥ３２にさらに送信してよい。第４のメッセージは、第３のＵＥ３２が、第１のＵＥと基地局との間におけるデータ伝送のための中継ＵＥとして動作できないことを示す指示情報を含む。すなわち、第４のメッセージは、第３のＵＥ３２が、中継ＵＥとして動作できないことを示す。
【０１３２】
あるいは、基地局１０は、一切の応答メッセージを第３のＵＥ３２に送信しなくてよい。このように、タイマによって設定された時間の後で、第３のＵＥ３２は、基地局１０が第３のＵＥ３２を中継ＵＥとして用いないと決定してもよい。
【０１３３】
このように、第３のメッセージを受信した後で、第２のＵＥ３１は、基地局１０が第２のＵＥ３１を中継ＵＥとして既に決定したことを認識してよい。この場合任意選択的に、第２のＵＥ３１は、３０５を実行してよい。
【０１３４】
３０５．第２のＵＥ３１は、第５のメッセージを第１のＵＥ２０に送信する。
【０１３５】
第５のメッセージは、第１のメッセージに対する応答メッセージであり、第５のメッセージは、第２のＵＥが、第１のＵＥと基地局との間におけるデータ伝送のための中継ＵＥとして動作することを示すことが理解されよう。
【０１３６】
このように、第１のＵＥ２０は、第１のＵＥ２０と基地局との間におけるデータ伝送のための中継ＵＥが第２のＵＥ３１であることを認識することができる。
【０１３７】
３０６．第１のＵＥ２０は、中継対象データを第２のＵＥ３１に送信する。
【０１３８】
本明細書において、第１のＵＥ２０は、中継対象データをＤ２Ｄブロードキャスト形式で送信してよい。第１のＵＥ２０とのＤ２Ｄ通信を実行可能な全てのＵＥは、中継対象データを受信することができるが、第２のＵＥ３１のみは、中継ＵＥとして動作することを命令され、第２のＵＥ３１のみが３０７を実行する。
【０１３９】
あるいは、第１のＵＥ２０は、第１のＵＥ２０と第２のＵＥ３１との間でＤ２Ｄリンクを用いることによって、中継対象データを第２のＵＥ３１に送信してよい。
【０１４０】
基地局１０が、３０３において複数の中継ＵＥを決定した場合に、複数の中継ＵＥの全ては、３０６において、第１のＵＥ２０によって送信された中継対象データを受信することが理解されよう。
【０１４１】
３０７．第２のＵＥ３１は、中継対象データを基地局１０に送信する。
【０１４２】
本明細書において、第３のメッセージが中継リソース割り当て指示情報を含む場合に、第２のＵＥ３１は、中継リソース割り当て指示情報に従って、中継対象データを送信してよい。
【０１４３】
さらに、中継対象データのデスティネーションアドレスが、基地局１０のセル４０における他のＵＥである場合に、図４に示されるように、他のＵＥはＵＥ３３であり、基地局１０は、ＵＥ３３に中継対象データを転送すると仮定する。この場合ＵＥ３３及び第１のＵＥ２０は、Ｄ２Ｄ通信条件を満たさず、Ｄ２Ｄ通信を実行することは不可能であることが理解されよう。
【０１４４】
あるいは、さらに、中継対象データのデスティネーションアドレスが他の基地局、図４に示される基地局１０１である場合に、基地局１０は、中継対象データを基地局１０１に転送する。
【０１４５】
あるいは、中継対象データのデスティネーションアドレスが他のセルにおけるＵＥ、図４に示されるＵＥ２０１である場合に、基地局１０は、中継対象データを基地局１０１に転送し、次に、基地局１０１は、中継対象データをＵＥ２０１に送信する。
【０１４６】
本発明の本実施形態において、基地局１０及び基地局１０１は、Ｘ２インタフェースを用いることによって相互接続されてよく、基地局１０及び基地局１０１は、Ｓ１インタフェースを用いることによって、モビリティ管理エンティティ（Ｍｏｂｉｌｉｔｙ  Ｍａｎａｇｅｍｅｎｔ  Ｅｎｔｉｔｙ、ＭＭＥ）及びサービングゲートウェイ（Ｓｅｒｖｉｎｇ  Ｇａｔｅｗａｙ、Ｓ−ＧＷ）にそれぞれ接続されてよいことが理解されよう。これは、本発明に限定されるものではない。
【０１４７】
本発明の本実施形態において、中継ＵＥは、基地局によって規定される。これにより、中継ＵＥを選択する効率を改善させることができ、中継ＵＥの選択に消費される時間を短縮させることができ、中継に参加する不要なＵＥを減少させることができる。さらに、第１のＵＥから基地局へのアップリンク伝送の問題を解決することができる。
【０１４８】
任意選択的に、タイマは、３０１において、第１のＵＥ２０が第１のメッセージを送信した場合に始動されてよく、具体的な手順は、図５に示されよう。
【０１４９】
５０１．第１のメッセージを送信する。
【０１５０】
詳細については、３０１における説明を参照されたい。反復回避のため、詳細は、本明細書において再度説明されない。
【０１５１】
さらに、タイマは、第１のＵＥ２０が第１のメッセージを送信すると同時に始動される。
【０１５２】
５０２．確認が受信されたか否かを決定する。
【０１５３】
本明細書において、確認は、３０５における第５のメッセージのような、第１のメッセージに対する確認メッセージであってよい。第１のＵＥ２０が確認を受信した場合に、第１のＵＥ２０は、基地局が中継ＵＥを既に決定したことを認識することができることが理解されよう。
【０１５４】
５０２における決定の結果が是の場合、換言すると、確認が受信された場合、５０５が実行される。５０２における決定の結果が否の場合、換言すると、確認が受信されなかった場合、５０３が実行される。
【０１５５】
５０３．タイマＴ１が経過したか否かを決定する。
【０１５６】
本明細書において、タイマによって設定された期間Ｔ１は、予め定義されてよく、又は基地局１０によって予め構成されてよい。
【０１５７】
５０３における決定の結果が否の場合、５０２が再度実行される。すなわち、タイマＴ１がタイムアウトしない場合、第１のＵＥ２０は、確認の受信を待ち続ける。
【０１５８】
５０３における決定の結果が是の場合、５０４が実行される。
【０１５９】
５０４．タイマＴ２が経過したか否かを決定する。
【０１６０】
本明細書において、タイマによって設定された期間Ｔ２は、予め定義されてよく、又は、基地局１０によって予め構成されてよく、Ｔ２は、Ｔ１より大きい。
【０１６１】
Ｔ２は、Ｔ１の整数倍に設定されてよい。例えば、Ｔ２＝１０×Ｔ１である。これは、中継要求プロセスを１０回試行することができ、各試行の時間がＴ１であることに等しい。
【０１６２】
５０４における決定の結果が否の場合、５０１が再度実行され、第１のメッセージを再送信する。任意選択的に、再送信された第１のメッセージは、中継を要求した回数を含んでよい。このように、ＱｏＳが同じ場合、第１のメッセージを受信したＵＥは、中継を要求した回数が最大のサービスを優先的に処理してよい。
【０１６３】
５０４における決定の結果が是の場合、５０６が実行される。
【０１６４】
５０５．終了する。
【０１６５】
この場合、基地局１０は、中継ＵＥを既に規定しており、第１のＵＥ２０は、タイマを停止させ、後続の３０６を実行してよい。
【０１６６】
５０６．中継が失敗する。
【０１６７】
本明細書において、段階５０４における時間は選択的であることに留意されたい。すなわち、図５の段階において、タイマＴ２は決定されなくてよく、段階５０６が直接実行されてよい。
【０１６８】
これは、第１のＵＥ２０付近のＵＥが、中継ＵＥとして動作するのに適していないことを示す。中継が失敗する理由は、第１のメッセージを受信したＵＥが中継ＵＥとして動作できないこと、又は、第１のＵＥ２０が基地局１０のセルから遠く離れ過ぎているので、ＵＥが第１のメッセージを受信できないことであろう。
【０１６９】
同様に、タイマは、第２のＵＥ３１及び第３のＵＥ３２が、各々、３０２において第２のメッセージを基地局１０に送信する場合に始動されてよい。具体的な手順は、図６に示されよう。
【０１７０】
６０１．第２のメッセージを基地局１０に送信する。
【０１７１】
６０２．基地局１０の応答が受信されたか否かを決定する。
【０１７２】
基地局１０の応答は、３０４における第３のメッセージのような、第２のメッセージに対する確認であってよい。又は、基地局１０の応答は、３０４における第４のメッセージのような、第２のメッセージに対する否定確認であってよい。
【０１７３】
６０２における決定の結果が是の場合、６０５が実行される。６０２における決定の結果が否の場合、６０３が実行される。
【０１７４】
６０３．タイマが経過したか否かを決定する。
【０１７５】
本明細書において、タイマによって設定された期間Ｔ３は、予め定義されてよく、又は基地局１０によって予め構成されてよい。
【０１７６】
６０３における決定の結果が是の場合、６０４が実行される。６０３における決定の結果が否の場合、６０２が再度実行される。
【０１７７】
６０４．既に最大再送信数に到達したか否かを決定する。
【０１７８】
最大値は、最大再送信数として予め定義されてよく、又は、基地局１０によって、最大再送信数として予め設定された値であってよい。６０４の決定の結果が是の場合、６０５が実行される。６０４における決定の結果が否の場合、６０１が再度実行され、第２のメッセージを再送信する。
【０１７９】
６０５．終了する。すなわち、タイマが停止される。
【０１８０】
６０２において確認が受信された場合、これは、第２のＵＥ３１及び／又は第３のＵＥ３２が中継ＵＥとして動作できることを示すことが理解されよう。６０２において否定確認が受信された場合、これは、第２のＵＥ３１及び／又は第３のＵＥ３２が中継ＵＥとして動作できないことを示す。同様に、６０４において最大再送信数に到達した場合に応答が受信されなかった場合、これも、第２のＵＥ３１及び／又は第３のＵＥ３２が中継ＵＥとして動作できないことを示す。この場合、他の遠隔ＵＥに対して実行されるべき中継の準備が続いてよい。
【０１８１】
本発明の本実施形態において、タイマを設定することによって、ただ一度の選択失敗によってもたらされる損失を回避することができ、１つの偶発的な選択失敗に起因するプロセス全体の障害が回避されることが理解されよう。
【０１８２】
図７は、本発明の他の実施形態に係るデータ伝送方法のインタラクションフローチャートである。図７は、基地局１０、第１のＵＥ２０、及び第２のＵＥ３１を示す。図７に示される方法は、図２（ｂ）に示されるシナリオに適用可能である。図７に示される方法は、以下の段階を含む。
【０１８３】
７０１．第１のＵＥ２０は、第１のメッセージを基地局１０に送信する。ここで、第１のメッセージは、第１のＵＥ２０の中継要求情報を含む。
【０１８４】
中継要求情報は、第１のＵＥ２０が基地局１０に、第１のＵＥ２０と基地局１０との間におけるデータ伝送のための中継ＵＥを割り当てる（又は決定する）ことを要求する情報として理解されてよいことが理解されよう。すなわち、これは、第１のメッセージが第１のＵＥと基地局との間におけるデータ伝送のための中継ＵＥを割り当てることを要求する情報を含むものとして理解されよう。
【０１８５】
本明細書において、第１のＵＥ２０は、セルラリンクを用いることによって、第１のメッセージを基地局１０に送信してよい。
【０１８６】
任意選択的に、７０１の前に、第１のＵＥ２０は、基地局１０によって送信された指示情報を受信してよい。指示情報は、第１のＵＥ２０が、中継ＵＥを介して、基地局１０とのデータ伝送を実行する必要があることを示す。すなわち、基地局１０は、第１のＵＥ２０に、基地局１０とのデータ伝送を直接実行することを許可しない。
【０１８７】
具体的には、第１のメッセージに関しては、図３の実施形態における第１のメッセージの説明を参照されたい。反復回避のため、詳細は、本明細書において再度説明されない。
【０１８８】
任意選択的に、第１のメッセージは、第１のＵＥのアイデンティティＩＤ、中継対象データのデスティネーションアドレス、中継対象データのデータ量の大きさ、又は中継対象データのＱｏＳクラス情報の少なくとも１つを含んでよい。
【０１８９】
中継対象データのデスティネーションアドレスは、基地局１０であってよく、又は、他のＵＥもしくは他の基地局であってよい。
【０１９０】
中継対象データのデータ量の大きさは、好適な量のアップリンク送信リソースを割り当てるために、基地局１０によって用いられてよい。
【０１９１】
中継対象データのＱｏＳクラス情報は、基地局１０がアップリンク送信リソースを割り当てる場合に、対応するＱｏＳ要件が考慮されるために用いられてよい。
【０１９２】
７０２．基地局１０は、中継ＵＥを決定する。
【０１９３】
具体的には、基地局１０は、第１のメッセージに従って、中継ＵＥを決定してよい。
【０１９４】
例において、基地局１０は、ＵＥを決定してよい。これは、第１のメッセージのソース付近、履歴メッセージ等に従って、第１のＵＥ２０付近の少なくとも１つのＵＥ（例えば、第２のＵＥ３１及び第３のＵＥ３２）であると仮定される。すなわち、基地局１０は、履歴メッセージに従って、少なくとも１つのＵＥ（第２のＵＥ３１及び第３のＵＥ３２）が第１のＵＥ２０とのＤ２Ｄ伝送を実行可能であると決定してよい。
【０１９５】
さらに、基地局１０は、少なくとも１つのＵＥから、１つ又は複数のＵＥを中継ＵＥとして選択してよい。
【０１９６】
具体的には、基地局１０は、少なくとも１つのＵＥと基地局１０との間の信号品質についての情報に従って、中継ＵＥを決定してよい。
【０１９７】
あるいは、基地局１０が、履歴メッセージから、少なくとも１つのＵＥと第１のＵＥ２０との間の信号品質についての情報を取得可能である場合に、基地局１０は、少なくとも１つのＵＥと第１のＵＥ２０との間の信号品質についての情報に従って、中継ＵＥを決定してよい。
【０１９８】
本明細書において、基地局１０によって決定された中継ＵＥが、第２のＵＥ３１であると仮定する。
【０１９９】
７０３．基地局１０は、第３のメッセージを第２のＵＥ３１に送信する。ここで、第３のメッセージは、第２のＵＥに、第１のＵＥと基地局との間におけるデータ伝送のための中継ＵＥとして動作することを命令する指示情報を含む。
【０２００】
すなわち、第３のメッセージは、第２のＵＥに、第１のＵＥと基地局との間におけるデータ伝送のための中継ＵＥとして動作することを命令する。
【０２０１】
任意選択的に、第１のメッセージが中継対象データのデータ量の大きさを含む場合、又は、第１のメッセージが中継対象データのデータ量の大きさ及び中継対象データのＱｏＳクラス情報を含む場合に、第３のメッセージは、中継リソース割り当て指示情報をさらに含んでよい。
【０２０２】
任意選択的に、中継リソース割り当て指示情報は、上位層シグナリング及び／又は物理層シグナリングによって示されてよい。物理層シグナリングは、ＤＣＩを含んでよく、ＤＣＩは、中継に関連するＲＮＴＩによって特定されてよい。
【０２０３】
７０４．第２のＵＥ３１は、第５のメッセージを第１のＵＥ２０に送信する。
【０２０４】
７０５．第１のＵＥ２０は、中継対象データを第２のＵＥ３１に送信する。
【０２０５】
７０６．第２のＵＥ３１は、中継対象データを基地局１０に送信する。
【０２０６】
具体的には、７０４に関しては、図３の実施形態における３０５の説明を参照されたい。７０５に関しては、図３の実施形態における３０６の説明を参照されたい。７０６に関しては、図３の実施形態における３０７の説明を参照されたい。反復回避のため、詳細は、本明細書において再度説明されない。
【０２０７】
７０１において、第１のＵＥ２０が第１のメッセージを送信する場合に、タイマが始動されてよいことが理解されよう。具体的なプロセスに関しては、同様に、図５に示されるプロセスを参照されたい。反復回避のため、詳細は、本明細書において再度説明されない。
【０２０８】
第１のＵＥから基地局へのアップリンクデータ伝送に関しては、図３又は図７に示される方法手順が用いられてよいことが理解されよう。基地局は、第２のＵＥを中継ＵＥとして規定する。これにより、第１のＵＥによって送信されるデータは、第２のＵＥを介して基地局に送信可能であり、データ伝送を確保する。
【０２０９】
図８は、本発明の他の実施形態に係るデータ伝送方法のインタラクションフローチャートである。図８は、基地局１０、第１のＵＥ２０、第２のＵＥ３１、及び第３のＵＥ３２を示す。
【０２１０】
基地局１０、第１のＵＥ２０、第２のＵＥ３１、及び第３のＵＥ３２についての説明に関しては、図３における説明を参照されたい。反復回避のため、詳細は、本明細書において再度説明されない。
【０２１１】
図８に示される方法は、以下の段階を含む。
【０２１２】
８０１．基地局１０は、第１のメッセージを送信する。ここで、第１のメッセージは、基地局１０と第１のＵＥ２０との間におけるデータ伝送のための中継要求情報を含む。
【０２１３】
具体的には、基地局１０がダウンリンクデータを第１のＵＥ２０に送信する必要がある場合に、第１のＵＥ２０は基地局１０とのデータ伝送を直接実行することが不可能なので、基地局１０は、第１のメッセージを送信する。基地局１０によって第１のＵＥ２０に送信される必要があるダウンリンクデータは、中継対象データと称されてよい。
【０２１４】
本明細書において、第１のＵＥ２０が基地局１０とのデータ伝送を実行することが不可能な理由は、以下の通りである。
【０２１５】
（１）基地局１０は、第１のＵＥ２０のサービング基地局であるが、基地局１０は、第１のＵＥ２０が中継ＵＥを介して基地局１０との通信を実行する必要があることを示す。
【０２１６】
（２）基地局１０は第１のＵＥ２０のサービング基地局であるが、第１のＵＥ２０は、基地局１０への有効なＲＲＣ接続を確立することが不可能である。
【０２１７】
（３）第１のＵＥ２０は、基地局１０のサービス範囲外に位置する。換言すると、基地局１０は、第１のＵＥ２０のサービング基地局ではない。
【０２１８】
第１のメッセージは、ダウンリンクセルラリンクを用いることによって、基地局１０によって送信されてよい。
【０２１９】
任意選択的に、基地局１０は、第１のメッセージをブロードキャスト形式で送信してよい。このように、基地局１０のサービス範囲に位置する全てのＵＥは、第１のメッセージを受信することできる。
【０２２０】
任意選択的に、基地局１０は、第１のＵＥ２０付近の複数のＵＥに、第１のメッセージを指向的に送信してよい。例えば、基地局１０は、最初に、履歴メッセージ等に従って、第１のＵＥ２０付近のＵＥを決定してよい。
【０２２１】
第１のメッセージは、基地局のＩＤ、中継対象データのデスティネーションアドレス、又は中継リソース割り当て指示情報の少なくとも１つを含んでよい。
【０２２２】
中継対象データのデスティネーションアドレスは、第１のＵＥ２０であってよい。
【０２２３】
中継リソース割り当て指示情報は、上位層シグナリング及び／又は物理層シグナリングによって示される。物理層シグナリングは、ＤＣＩを含み、ＤＣＩは、中継に関連するＲＮＴＩによって特定される。
【０２２４】
さらに、１つ又は複数の中間ＵＥが第２のＵＥ３１と第１のＵＥ２０との間におけるデータ伝送に必要とされる（例えば、図２におけるシナリオの関連する説明の）場合に、第１のメッセージは、中継対象データのデータ量の大きさ及び／又は中継対象データのＱｏＳクラス情報をさらに含んでよい。このように、１つ又は複数の中間ＵＥは、各々、中継対象データのデータ量の大きさ及び／又は中継対象データのＱｏＳクラス情報に従って、伝送リソースを決定してよい。
【０２２５】
基地局１０が第１のメッセージを送信する場合に、タイマが始動されてよいことが理解されよう。具体的なプロセスは、図３の実施形態における、第１のＵＥ２０が第１のメッセージを送信した場合にタイマが始動されるプロセスと同様である。同様に、図５に示されるプロセスを参照されたい。反復回避のため、詳細は、本明細書において再度説明されない。
【０２２６】
基地局１０が中継に失敗する理由は、第１のＵＥ２０が基地局１０のセルから遠く離れ過ぎていること、又は、基地局１０が第１のメッセージを複数のＵＥに指向的に送信した場合に、基地局１０によって選択された、第１のメッセージが送信されたＵＥが、不適切であること（例えば、ＵＥと第１のＵＥ２０との間の信号品質が弱過ぎること）であろう。この場合、基地局１０は、第１のメッセージが指向的に送信される必要があるＵＥを再選択し、次に、第１のメッセージを再送信してよい。
【０２２７】
８０２．第２のＵＥ３１及び第３のＵＥ３２は、各々、第２のメッセージを基地局１０に送信する。
【０２２８】
任意選択的に、他の実施形態において、８０２は、第１のメッセージを受信した後で、第２のＵＥ３１及び第３のＵＥ３２の各々によって、予め設定された第２の条件が満たされたか否かを決定する段階と、予め設定された第２の条件が満たされたと決定した場合に、第２のメッセージを基地局１０に送信する段階とを含んでよい。
【０２２９】
第２のＵＥ３１が第１のＵＥ２０とのＤ２Ｄ伝送を直接実行することができる場合に、予め設定された第２の条件は、第２のＵＥと第１のＵＥとの間のＤ２Ｄ信号品質が第４の閾値より高いことを含んでよいことが理解されよう。本明細書において、第４の閾値は、予め定義される、又は、基地局によって構成される。
【０２３０】
任意選択的に、第１のメッセージが中継リソース割り当て指示情報を含まない場合に、第２のメッセージは、中継リソース要求情報を含んでよい。
【０２３１】
任意選択的に、第２のＵＥ３１を例として用いると、第２のメッセージは、第２のＵＥ３１と第１のＵＥ２０との間の信号品質についてのＤ２Ｄ情報をさらに含んでよい。本明細書において、第２のＵＥ３１と第１のＵＥ２０との間の信号品質についてのＤ２Ｄ情報は、履歴メッセージに従って、第２のＵＥ３１によって決定されてよい。
【０２３２】
図３の実施形態における３０２と同様に、本明細書において、第２のメッセージを基地局１０に送信するＵＥは、中継ＵＥ候補と称されることが理解されよう。
【０２３３】
さらに、第２のＵＥ３１及び第３のＵＥ３２は、予め設定された第２の条件が満たされたか否かを決定することによって、第２のＵＥ３１及び第３のＵＥ３２が中継ＵＥ候補として動作可能であるか否かを決定してよい。
【０２３４】
任意選択的に、第２のＵＥ３１及び第３のＵＥ３２は、各々、予め設定された確率に従って、第２のメッセージを基地局１０に送信してよい。
【０２３５】
すなわち、第２のＵＥ３１及び第３のＵＥ３２は、予め設定された確率を用いることによって、第２のＵＥ３１及び第３のＵＥ３２が中継ＵＥ候補として動作可能であるか否かを決定してよい。
【０２３６】
具体的には、予め設定された確率の説明に関しては、図３の実施形態における３０２の説明を参照されたい。反復回避のため、詳細は、本明細書において再度説明されない。
【０２３７】
第２のＵＥ３１及び第３のＵＥ３２が、各々、第２のメッセージを送信する場合に、タイマが始動されてもよいことが理解されよう。具体的なプロセスに関しては、同様に、図６に示されるプロセスを参照されたい。反復回避のため、詳細は、本明細書において再度説明されない。
【０２３８】
８０２において、複数のＵＥが第２のメッセージを基地局１０に送信してよいことが理解されよう。従って、基地局１０は、８０３を実行する。
【０２３９】
８０３．基地局１０は、中継ＵＥを決定する。
【０２４０】
基地局１０は、少なくとも１つのＵＥによって送信された第２のメッセージを受信し、少なくとも１つのＵＥのうちの１つを中継ＵＥとして選択することが理解されよう。
【０２４１】
基地局１０は、少なくとも１つの中継ＵＥ候補から、１つ又は複数の中継ＵＥを選択することが理解されよう。
【０２４２】
具体的には、基地局１０は、少なくとも１つのＵＥと基地局１０との間の信号品質についての情報、及び／又は少なくとも１つのＵＥと第１のＵＥ２０との間の信号品質についての情報に従って、中継ＵＥを決定してよい。
【０２４３】
例えば、基地局１０は、ＵＥを中継ＵＥとして決定してよい。ここで、ＵＥと基地局１０との間の信号品質についての情報が、最適である。
【０２４４】
本実施形態において、基地局１０は、１つ又は複数の中継ＵＥを決定してよいことに留意されたい。すなわち、基地局１０は、少なくとも１つのＵＥのうち１つ又は複数のＵＥを中継ＵＥとして規定してよく、これは、本発明に限定されるものではない。
【０２４５】
本明細書において、基地局１０によって決定された中継ＵＥが、第２のＵＥ３１であると仮定する。
【０２４６】
８０４．基地局１０は、第３のメッセージを第２のＵＥ３１に送信する。ここで、第３のメッセージは、第２のＵＥに、基地局１０と第１のＵＥ２０との間におけるデータ伝送のための中継ＵＥとして動作することを命令する指示情報を含む。
【０２４７】
すなわち、第３のメッセージは、第２のＵＥに、基地局と第１のＵＥとの間におけるデータ伝送のための中継ＵＥとして動作することを命令する。
【０２４８】
基地局１０は、８０３において決定された中継ＵＥに、第３のメッセージを送信することが理解されよう。複数の中継ＵＥが８０３において決定された場合に、基地局１０は、第３のメッセージを複数の中継ＵＥに送信する。
【０２４９】
さらに、第２のメッセージが中継リソース要求情報を含む場合に、第３のメッセージは、中継リソース割り当て指示情報をさらに含んでよい。
【０２５０】
中継リソース割り当て指示情報は、上位層シグナリング及び／又は物理層シグナリングによって示される。物理層シグナリングは、ＤＣＩを含んでよく、ＤＣＩは、中継に関連するＲＮＴＩによって特定されてよい。
【０２５１】
任意選択的に、基地局１０は、第４のメッセージを第３のＵＥ３２にさらに送信してよい。第４のメッセージは、第３のＵＥ３２が中継ＵＥとして動作できないことを示す指示情報を含む。すなわち、第４のメッセージは、第３のＵＥ３２が、中継ＵＥとして動作できないことを示す。
【０２５２】
あるいは、基地局１０は、一切の応答メッセージを第３のＵＥ３２に送信しなくてよい。このように、基地局１０からの応答が予め設定された期間内に受信されなかった場合、基地局１０は、第３のＵＥ３２を中継ＵＥとして用いないとみなされる。
【０２５３】
８０５．基地局１０は、中継対象データを第２のＵＥ３１に送信する。
【０２５４】
任意選択的に、本実施形態において、８０４及び８０５は、同時に実行されてよい。すなわち、基地局１０は、第３のメッセージ及び中継対象データを、第２のＵＥ３１に同時に送信してよい。
【０２５５】
本発明の本実施形態において、基地局１０によって送信される中継対象データは、基地局１０によって生成されるダウンリンクデータであってよい。あるいは、中継対象データは、基地局１０によって、他のＵＥ（例えば、図４におけるＵＥ３３）から、又は他の基地局（例えば、図４における基地局１０１）から受信されてよい。これに対して、本発明において制限は設定されない。
【０２５６】
すなわち、本発明の本実施形態において、基地局１０は、中継対象データのソースアドレスであってよく、又は、中継対象データの転送経路における中間ノードであってよい。
【０２５７】
８０６．第２のＵＥ３１は、中継対象データを第１のＵＥ２０に送信する。
【０２５８】
具体的には、第２のＵＥ３１は、第１のメッセージ又は第３のメッセージに含まれる中継リソース割り当て指示情報を用いることによって、中継対象データを送信する。
【０２５９】
あるいは、他の実施形態において、図９に示されるように、８０１の後で、方法は、以下の段階をさらに含んでよい。
【０２６０】
８０１１．第２のＵＥ３１及び第３のＵＥ３２は、各々、中継要求情報を第１のＵＥ２０に送信する。
【０２６１】
任意選択的に、第２のＵＥ３１及び第３のＵＥ３２は、各々、予め構成されたＤ２Ｄリソースプール又は基地局によって構成されたＤ２Ｄリソースプールを用いることによって、中継要求情報を送信してよい。
【０２６２】
第２のＵＥ３１及び第３のＵＥ３２は、同じＤ２Ｄリソースプール又は異なるＤ２Ｄリソースプールを用いてよい。
【０２６３】
第２のＵＥ３１を例として用いると、第２のＵＥ３１は、第１のメッセージから、中継対象データのデスティネーションアドレスが第１のＵＥ２０であることを認識することができる。従って、中継要求情報は、第１のＵＥ２０に送信される。
【０２６４】
中継要求情報は、第１のメッセージにおける全てのいくつかのコンテンツを含んでよい。第１のメッセージが中継リソース割り当て指示情報を含む場合であっても、中継要求情報は、中継リソース割り当て指示情報を含まないことに留意されたい。
【０２６５】
第２のＵＥ３１を例として用いると、第２のＵＥ３１は、中継要求情報を第１のＵＥ２０に直接送信してよいことが理解されよう。あるいは、第２のＵＥ３１は、１つ又は複数の中間ＵＥを介して、中継要求情報を第１のＵＥ２０に間接的に送信してよい。
【０２６６】
８０１２．第２のＵＥ３１及び第３のＵＥ３２は、第１のＵＥ２０によって送信された中継応答メッセージを受信する。
【０２６７】
さらに、第２のＵＥ３１及び第３のＵＥ３１は、中継応答メッセージに従って、予め設定された第２の条件が満たされたか否かを決定し、予め設定された第２の条件が満たされた場合に、８０２を実行する、すなわち、第２のメッセージを基地局１０に送信することが理解されよう。
【０２６８】
例えば、第２のＵＥ３１を例として用いると、第２のＵＥ３１は、受信された中継応答メッセージの伝送された品質情報に従って、予め設定された第２の条件が満たされたか否かを決定してよい。
【０２６９】
これに対応して、第２のＵＥ３１を例として用いると、第２のＵＥ３１が第１のＵＥ２０とのＤ２Ｄ伝送を直接実行できる場合に、８０２における第２のメッセージは、第２のＵＥ３１と第１のＵＥ２０との間の信号品質についてのＤ２Ｄ情報をさらに含んでよいことが理解されよう。本明細書において、第２のＵＥ３１と第１のＵＥ２０との間の信号品質についてのＤ２Ｄ情報は、中継応答メッセージに従って、第２のＵＥ３１によって決定されてよい。
【０２７０】
第２のＵＥ３１を例として用いると、第２のＵＥ３１が、１つ又は複数の中間ＵＥを介して、第１のＵＥ２０とのＤ２Ｄ伝送を実行する場合に、第２のＵＥ３１は、中間ＵＥを介して、中継応答メッセージから第１のＵＥ２０の信号品質についての情報を取得することができることが理解されよう。
【０２７１】
次に、さらに、８０２における予め設定された第２の条件は、第１のＵＥ２０の信号品質が第５の閾値より大きいことを含んでよい。第５の閾値は、予め設定されてよく、又は、基地局１０によって予め構成されてよい。
【０２７２】
本発明の本実施形態において、中継ＵＥは、基地局によって決定される。これにより、中継ＵＥを選択する効率を改善させることができ、中継ＵＥの選択に消費される時間を短縮させることができ、中継に参加する不要なＵＥを減少させることができる。さらに、基地局から第１のＵＥへのダウンリンク伝送の問題を解決することができる。
【０２７３】
基地局から第１のＵＥへのダウンリンクデータ伝送に関しては、図８又は図９に示される方法手順が用いられてよいことが理解されよう。基地局は、第２のＵＥを中継ＵＥとして規定する。これにより、基地局によって送信されるデータは、第２のＵＥを介して第１のＵＥに送信可能であり、データ伝送を確保する。
【０２７４】
本発明の本実施形態において、複数の中継ＵＥは、異なる基地局によって決定されてよいことに留意されたい。図１０に示されるように、基地局１０は、第２のＵＥ３１を、第１のＵＥ２０のための中継ＵＥとして決定してよく、基地局１０２は、ＵＥ３４を、第１のＵＥ２０のための中継ＵＥとして決定してよい。
【０２７５】
すなわち、ＵＥ３１及びＵＥ３４は、両方とも、第１のＵＥ２０の中継ＵＥであるが、２つの中継ＵＥは、異なる基地局によってサービスされる。ＵＥ３１のサービング基地局は、基地局１０であり、ＵＥ３４のサービング基地局は、基地局１０２である。ＵＥ３１及びＵＥ３４は、２つの隣接するセルに、別個に位置してよい。
【０２７６】
基地局１０及び基地局１０１は、Ｘ２インタフェースを用いることによって相互接続されてよく、基地局１０及び基地局１０１は、両方とも、Ｓ１インタフェースを用いることによって、ＭＭＥ／Ｓ−ＧＷ７０に接続されてよい。
【０２７７】
このように、本発明の本実施形態において、基地局は、中継ＵＥの選択を制御する。これにより、現在のセルラリンクは、中継ＵＥの導入によって影響されなくてよく、中継リンク全体のサービス品質を確保することができる。
【０２７８】
図１１は、本発明の実施形態に係るデータ伝送方法のフローチャートである。図１０に示される方法は、第２のＵＥによって実行され、以下の段階を含む。
【０２７９】
１１０１．第２のＵＥは、第１のＵＥ又は基地局によって送信された第１のメッセージを受信する。ここで、第１のメッセージは、中継要求情報を含む。
【０２８０】
１１０２．第２のＵＥは、第１のメッセージに従って、第２のメッセージを基地局に送信する。ここで、第２のメッセージは、第２のＵＥが、第１のＵＥと基地局との間におけるデータ伝送のための中継ＵＥとして動作することを要求することを示す情報を含む。
【０２８１】
１１０３．第２のＵＥは、基地局によって送信された第３のメッセージを受信する。ここで、第３のメッセージは、第２のＵＥに、中継ＵＥとして動作することを命令する。
【０２８２】
本発明の実施形態において、基地局は、第２のＵＥを中継ＵＥと規定し、これにより、第２のＵＥは、基地局と第１のＵＥとの間におけるデータ伝送を支援することができる。データ伝送効率が確保される。
【０２８３】
本発明の本実施形態において、基地局は、第２のＵＥのサービング基地局であり、第１のＵＥは、基地局とのデータ伝送を直接実行しないことに留意されたい。
【０２８４】
任意選択的に、実施形態において、中継要求情報は、参照信号及び／又はＤ２Ｄ同期信号によって示されてよい。
【０２８５】
第１のＵＥが基地局とのデータ伝送を直接実行しないことは、
基地局は第１のＵＥのサービング基地局であるが、基地局は、第１のＵＥが中継ＵＥを介して基地局との通信を実行する必要があることを示すこと、又は、
基地局は第１のＵＥのサービング基地局であるが、有効な無線リンク制御ＲＲＣ接続が第１のＵＥと基地局との間に確立されることが不可能であること、又は、
第１のＵＥは、セルラリンクを用いることによって通信を実行する機能を有さず、基地局への直接接続を確立することが不可能であること
を含む。
【０２８６】
任意選択的に、１１０１における第１のメッセージは、Ｄ２Ｄリンクを用いることによって第１のＵＥによって送信され、第１のメッセージは、第１のＵＥのアイデンティティＩＤ、第１のＵＥのネットワークステータス情報、中継対象データのデスティネーションアドレス、中継対象データのデータ量の大きさ、又は中継対象データのサービス品質ＱｏＳクラス情報の少なくとも１つをさらに含む。中継対象データは、基地局に送信される必要がある。
【０２８７】
これに対応して、１１０２は、第２のＵＥによって、第１のメッセージに従って、予め設定された第１の条件が満たされたか否かを決定する段階と、予め設定された第１の条件が満たされたと決定した場合に、第２のメッセージを基地局に送信する段階と、を含んでよい。
【０２８８】
予め設定された第１の条件は、第１のＵＥのネットワークステータス情報が、第１のＵＥが基地局とのデータ伝送を直接実行することが不可能であることを示すこと、第２のＵＥと基地局との間の信号品質が、第１の閾値より低く、第２の閾値より高いこと、又は、第２のＵＥが第１のメッセージを受信した受信信号品質が、第３の閾値より高いことの少なくとも１つを含む。
【０２８９】
本明細書において、第１の閾値、第２の閾値、又は第３の閾値の１つ又は複数は、予め定義される、又は、シグナリングを用いることによって構成される。
【０２９０】
任意選択的に、第２のメッセージを基地局に送信する段階は、予め設定された確率値に従って、第２のメッセージを基地局に送信する段階を含んでよい。予め設定された確率値は、予め定義される、又は、基地局によって構成される。
【０２９１】
任意選択的に、第２のＵＥによって、予め設定された確率値に従って、第２のメッセージを基地局に送信するか否かを決定するための方法は、ＵＥ内に実装される方法であってよい。例えば、第２のＵＥは、予め設定された確率値、例えば、０．２５を取得し、次に、０から１００の乱数を等しい確率方式でローカルに生成する。生成された数が２５より少ない又はこれに等しい場合に、ＵＥは、第２のメッセージを送信し、さもなければ、ＵＥは、第２のメッセージを送信しない。
【０２９２】
本発明の本実施形態において、第２のメッセージは、第１のＵＥのＩＤ及び第１のＵＥの信号品質についての情報を含んでよい。
【０２９３】
第１のメッセージが中継対象データのＱｏＳクラス情報を含む場合に、第２のメッセージは、中継対象データのＱｏＳクラス情報をさらに含む。
【０２９４】
さらに、第１のメッセージが中継対象データのデータ量の大きさを含む場合に、第２のメッセージは、中継リソース要求情報をさらに含んでよく、これに対応して、１１０３における第３のメッセージは、中継リソース割り当て指示情報を含む。
【０２９５】
中継リソース割り当て指示情報は、上位層シグナリング及び／又は物理層シグナリングによって示される。物理層シグナリングは、ダウンリンク制御情報ＤＣＩを含み、ＤＣＩは、中継に関連する無線ネットワーク一時識別子ＲＮＴＩによって特定される。
【０２９６】
中継リソース要求情報は、中継のために用いられるリソースを要求する情報であり、これに対応して、中継リソース割り当て指示情報は、中継リソース割り当てを示す情報である。
【０２９７】
任意選択的に、第２のメッセージを基地局に送信する時に、第２のＵＥは、タイマを始動させてよい。これに対応して、１１０３は、第２のＵＥによって、タイマによって設定された期間内に、基地局によって送信された第３のメッセージを受信する段階を含んでよい。
【０２９８】
任意選択的に、１１０３の後で、方法は、第２のＵＥによって第４のメッセージを第１のＵＥに送信する段階をさらに含んでよい。ここで、第４のメッセージは、第２のＵＥが中継ＵＥとして動作することを示し、第４のメッセージは、第１のメッセージに対する応答メッセージである。
【０２９９】
１１０３の後で、方法は、第２のＵＥによって、第１のＵＥによって送信された中継対象データを受信する段階と、第２のＵＥによって、中継対象データを基地局に送信する段階と、をさらに含んでよい。
【０３００】
このように、第２のＵＥは、中継ＵＥとして動作し、第１のＵＥから基地局へのデータ伝送を支援することができる。
【０３０１】
任意選択的に、１１０１における第１のメッセージは、ダウンリンクセルラリンクを用いることによって、基地局によって送信される。第１のメッセージは、基地局のＩＤ、中継対象データのデスティネーションアドレス、又は中継リソース割り当て指示情報の少なくとも１つをさらに含む。中継対象データのデスティネーションアドレスは、第１のＵＥである。
【０３０２】
中継リソース割り当て指示情報は、上位層シグナリング及び／又は物理層シグナリングによって示される。物理層シグナリングは、ダウンリンク制御情報ＤＣＩを含んでよく、ＤＣＩは、中継に関連する無線ネットワーク一時識別子ＲＮＴＩによって特定される。
【０３０３】
１１０２は、第２のＵＥによって、第１のメッセージに従って、予め設定された第２の条件が満たされたか否かを決定する段階と、予め設定された第２の条件が満たされたと決定した場合に、第２のメッセージを基地局に送信する段階と、を含んでよい。
【０３０４】
予め設定された第２の条件は、第２のＵＥと第１のＵＥとの間のＤ２Ｄ信号品質が第４の閾値より高いことを含む。本明細書において、第４の閾値は、予め定義される、又は、基地局によって構成される。
【０３０５】
１１０２は、第２のＵＥによって、Ｄ２Ｄリンクを用いることによって、中継要求情報を第１のＵＥに送信する段階と、第２のＵＥによって、第１のＵＥによって送信された中継応答メッセージを受信する段階と、第２のＵＥによって、中継応答メッセージに従って、予め設定された第２の条件が満たされたか否かを決定する段階と、予め設定された第２の条件が満たされたと決定した場合に、第２のメッセージを基地局に送信する段階と、を含んでよい。
【０３０６】
中継要求情報は、基地局のＩＤ、第１のＵＥのＩＤ、中継対象データのデータ量の大きさ、又は中継対象データのＱｏＳクラス情報の少なくとも１つを含む。
【０３０７】
これに対応して、第２のメッセージは、第２のＵＥと第１のＵＥとの間のＤ２Ｄ信号品質についての情報を含む。
【０３０８】
任意選択的に、第２のＵＥが１つ又は複数の中間ＵＥを介して、第１のＵＥとの伝送を実行する場合に、第２のＵＥは、第１のＵＥの信号品質についての情報を中継応答メッセージから取得してよい。これに対応して、第２のメッセージは、第１のＵＥの信号品質についての情報を含んでよい。予め設定された第２の条件は、第１のＵＥの信号品質についての情報が第５の閾値より大きいことであってもよい。
【０３０９】
任意選択的に、第３のメッセージは、中継対象データをさらに含み、方法は、第２のＵＥによって、中継対象データを第１のＵＥに送信する段階をさらに含む。
【０３１０】
あるいは、任意選択的に、方法は、第２のＵＥによって、基地局によって送信された中継対象データを受信する段階と、第２のＵＥによって、中継対象データを第１のＵＥに送信する段階と、をさらに含む。
【０３１１】
このように、本発明の本実施形態において、基地局は、第２のＵＥを中継ＵＥとして規定し、これにより、第２のＵＥは、基地局と第１のＵＥとの間におけるデータ伝送を支援することができ、これにより、データ伝送効率を改善する。
【０３１２】
図１１における、第２のＵＥによって実行されるプロセスに関しては、図３又は図８又は図９における第２のＵＥ３１によって実行されるプロセスを参照することに留意されたい。反復回避のため、詳細は、本明細書において再度説明されない。
【０３１３】
図１２は、本発明の他の実施形態に係るデータ伝送方法のフローチャートである。図１２に示される方法は、基地局によって実行され、以下の段階を含む。
【０３１４】
１２０１．基地局は、第１のメッセージを受信する。ここで、第１のメッセージは、第１のＵＥと基地局との間におけるデータ伝送のための中継ＵＥを割り当てることを要求する情報を含む。
【０３１５】
１２０２．基地局は、第２のメッセージを第２のＵＥに送信する。ここで、第２のメッセージは、第２のＵＥが中継ＵＥとして動作することを示す。
【０３１６】
本発明の本実施形態において、基地局は、受信された第１のメッセージに従って、第２のＵＥを中継ＵＥとして規定し、第１のＵＥと基地局との間におけるデータ伝送を支援する。任意選択的に、実施形態において、
【０３１７】
１２０１は、基地局によって、第２のＵＥから第１のメッセージを受信する段階を含む。第１のメッセージは、第１のＵＥのＩＤ、第１のＵＥの信号品質についての情報、第１のＵＥの中継対象データのデータ量の大きさ、又は中継対象データのＱｏＳクラス情報、中継リソース要求情報、又は基地局のＩＤの少なくとも１つを含む。
【０３１８】
任意選択的に、第１のメッセージが中継リソース要求情報を含む場合に、１２０２における第２のメッセージは、中継リソース割り当て指示情報を含む。中継リソース割り当て指示情報は、上位層シグナリング及び／又は物理層シグナリングによって示される。物理層シグナリングは、ダウンリンク制御情報ＤＣＩを含み、ＤＣＩは、中継に関連する無線ネットワーク一時識別子ＲＮＴＩによって特定される。
【０３１９】
任意選択的に、１２０１は、基地局によって、少なくとも１つのＵＥから第１のメッセージを受信する段階を含んでよい。ここで、少なくとも１つのＵＥは、第２のＵＥを含むが第１のＵＥを含まない。１２０１の後であって１２０２の前に、方法は、基地局によって、第２のＵＥと基地局との間の信号品質についての情報、又は、第２のＵＥと第１のＵＥとの間の信号品質についての情報の少なくとも１つに従って、少なくとも１つのＵＥにおける第２のＵＥを、中継ＵＥとして決定する段階をさらに含む。
【０３２０】
本実施形態において、１２０１における第１のメッセージに関しては、図３における第２のメッセージの説明を参照することが理解されよう。１２０２における第２のメッセージに関しては、図３における第３のメッセージの説明を参照されたい。反復回避のため、詳細は、本明細書において再度説明されない。
【０３２１】
任意選択的に、１２０２の前もしくは後で、又は１２０２が実行されると同時に、方法は、基地局によって、第３のメッセージを少なくとも１つのＵＥにおける第３のＵＥに送信する段階をさらに含んでよい。ここで、第３のメッセージは、第３のＵＥが第１のＵＥの中継ＵＥとして動作できないことを示す指示情報を含む。
【０３２２】
本実施形態において、図１２において基地局によって実行されるプロセスに関しては、図３において基地局１０によって実行されるプロセスを参照することに留意されたい。反復回避のため、詳細は、本明細書において再度説明されない。任意選択的に、他の実施形態において、
【０３２３】
１２０１は、基地局によって、第１のＵＥから第１のメッセージを受信する段階を含んでよい。第１のメッセージは、第１のＵＥのアイデンティティＩＤ、中継対象データのデスティネーションアドレス、中継対象データのデータ量の大きさ、又は中継対象データのサービス品質ＱｏＳクラス情報の少なくとも１つを含む。
【０３２４】
第１のメッセージが中継対象データのデータ量の大きさ及び／又は中継対象データのＱｏＳクラス情報を含む場合に、１２０２における第２のメッセージは、中継リソース割り当て指示情報を含むことが理解されよう。中継リソース割り当て指示情報は、上位層シグナリング及び／又は物理層シグナリングによって示される。物理層シグナリングは、ＤＣＩを含み、ＤＣＩは、中継に関連するＲＮＴＩによって特定される。
【０３２５】
本実施形態において、１２０１における第１のメッセージに関しては、図７における第１のメッセージの説明を参照することが理解されよう。１２０２における第２のメッセージに関しては、図７における第３のメッセージの説明を参照されたい。すなわち、本実施形態における１２０１に関しては、図７における７０１を参照されたい。１２０２に関しては、図７における７０３を参照されたい。反復回避のため、詳細は、本明細書において再度説明されない。
【０３２６】
本実施形態において、図１２において基地局によって実行されるプロセスに関しては、図７において基地局１０によって実行されるプロセスを参照することに留意されたい。反復回避のため、詳細は、本明細書において再度説明されない。
【０３２７】
このように、図１２に示される方法の後で、方法は、基地局によって、第２のＵＥによって送信された中継対象データを受信する段階をさらに含んでよい。ここで、中継対象データは、第１のＵＥによって第２のＵＥに送信される。すなわち、第２のＵＥは、中継ＵＥとして動作し、第１のＵＥによって送信されたデータを、基地局に転送する。
【０３２８】
図１３は、本発明の他の実施形態に係るデータ伝送方法のフローチャートである。図１３に示される方法は、基地局によって実行され、以下の段階を含む。
【０３２９】
１３０１．基地局は、第１のメッセージを少なくとも１つのＵＥに送信する。ここで、第１のメッセージは、基地局と第１のＵＥとの間におけるデータ伝送のための中継要求情報を含む。
【０３３０】
１３０２．基地局は、少なくとも１つのＵＥのうちいくつか又は全てのＵＥの各々によって送信された第２のメッセージを受信する。ここで、第２のメッセージは、第１のメッセージに対する応答メッセージであり、いくつか又は全てのＵＥは、第２のＵＥを含む。
【０３３１】
１３０３．基地局は、第３のメッセージを第２のＵＥに送信する。ここで、第３のメッセージは、第２のＵＥに、基地局と第１のＵＥとの間におけるデータ伝送のための中継ＵＥとして動作することを命令する。
【０３３２】
本発明の本実施形態において、基地局がデータを第１のＵＥに送信する場合に中継が実行される必要がある場合、基地局は、第２のＵＥを中継ＵＥとして規定する。このように、基地局は、第２のＵＥを介して、中継対象データを第１のＵＥに伝送することができ、データ伝送を確保する。
【０３３３】
任意選択的に、１３０１は、基地局が第１のＵＥとのデータ伝送を直接実行することが不可能な場合に、基地局によって、第１のメッセージを少なくとも１つのＵＥに送信する段階を含む。
【０３３４】
基地局が第１のＵＥとのデータ伝送を直接実行することが不可能であることは、
【０３３５】
基地局は第１のＵＥのサービング基地局であるが、基地局は、第１のＵＥが中継ＵＥを介して基地局との通信を実行する必要があることを示すこと、又は、
基地局は第１のＵＥのサービング基地局であるが、有効な無線リンク制御ＲＲＣ接続が第１のＵＥと基地局との間に確立されることが不可能であること、又は、
第１のＵＥがセルラリンクを用いることによって通信を実行する機能を有さず、基地局への直接接続を確立することが不可能であること
を含む。
【０３３６】
第１のメッセージは、ダウンリンクセルラリンクを用いることによって、基地局によって送信される。
【０３３７】
任意選択的に、第１のメッセージは、基地局によってブロードキャスト形式で送信される。すなわち、１２０１において、基地局は、第１のメッセージをブロードキャスト形式で送信する。このように、基地局のサービス範囲に位置する全てのＵＥは、第１のメッセージを受信することできる。
【０３３８】
任意選択的に、１３０１において、基地局は、第１のメッセージを少なくとも１つの特定のＵＥに送信してよい。例えば、第１のメッセージは、第１のＵＥ付近の少なくとも１つのＵＥに送信される。
【０３３９】
第１のメッセージは、基地局のＩＤ、中継対象データのデスティネーションアドレス、又は中継リソース割り当て指示情報の少なくとも１つをさらに含む。中継対象データのデスティネーションアドレスは、第１のＵＥである。
【０３４０】
任意選択的に、１３０３の前に、方法は、基地局によって、第２のＵＥと基地局との間の信号品質についての情報、又は第２のＵＥと第１のＵＥとの間の信号品質についての情報の少なくとも１つに従って、いくつか又は全てのＵＥのうち第２のＵＥを、中継ＵＥとして決定する段階をさらに含んでよい。
【０３４１】
第２のメッセージは、第１のＵＥの信号品質についての情報を含んでよい。
【０３４２】
任意選択的に、第１のメッセージが中継リソース割り当て指示情報を含まない場合に、第２のメッセージは、中継リソース要求情報を含んでよく、第３のメッセージは、中継リソース割り当て指示情報を含む。中継リソース割り当て指示情報は、上位層シグナリング及び／又は物理層シグナリングによって示される。物理層シグナリングは、ＤＣＩを含み、ＤＣＩは、中継に関連するＲＮＴＩによって特定される。
【０３４３】
任意選択的に、１３０３の前もしくは後で、またh１３０３が実行されると同時に、方法は、基地局によって、いくつかのＵＥ又は全てのＵＥのうち第３のＵＥに、第４のメッセージを送信する段階をさらに含んでよい。ここで、第４のメッセージは、第３のＵＥが第１のＵＥの中継ＵＥとして動作できないことを示す指示情報を含む。すなわち、第４のメッセージは、第３のＵＥ３２が、中継ＵＥとして動作できないことを示す。
【０３４４】
さらに、８０４の後で、方法は、基地局によって、中継対象データを第２のＵＥに送信し、これにより、第２のＵＥは、中継対象データを第１のＵＥに送信する段階をさらに含んでよい。
【０３４５】
図１３において基地局によって実行されるプロセスに関しては、図８又は図９において基地局１０によって実行されるプロセスを参照することに留意されたい。反復回避のため、詳細は、本明細書において再度説明されない。
【０３４６】
図１４は、本発明の実施形態に係るユーザ機器の構造を示すブロック図である。図１４に示されるユーザ機器１４００は、第２のＵＥであり、受信ユニット１４０１及び送信ユニット１４０２を含む。
【０３４７】
受信ユニット１４０１は、第１のＵＥ又は基地局によって送信された第１のメッセージを受信するように構成される。ここで、第１のメッセージは、中継要求情報を含む。
【０３４８】
送信ユニット１４０２は、受信ユニット１４０１によって受信された第１のメッセージに従って、第２のメッセージを基地局に送信するように構成される。ここで、第２のメッセージは、第２のＵＥが、第１のＵＥと基地局との間におけるデータ伝送のための中継ＵＥとして動作することを要求することを示す情報を含む。
【０３４９】
受信ユニット１４０１は、基地局によって送信された第３のメッセージを受信するようにさらに構成される。第３のメッセージは、第２のＵＥに、中継ＵＥとして動作することを命令する。
【０３５０】
本発明の実施形態において、基地局は、第２のＵＥを中継ＵＥと規定し、これにより、第２のＵＥは、基地局と第１のＵＥとの間におけるデータ伝送を支援することができる。データ伝送効率が確保される。
【０３５１】
本発明の本実施形態において、基地局は、第２のＵＥのサービング基地局であり、第１のＵＥは、基地局とのデータ伝送を直接実行しないことに留意されたい。
【０３５２】
任意選択的に、実施形態において、中継要求情報は、参照信号及び／又はＤ２Ｄ同期信号によって示されてよい。
【０３５３】
任意選択的に、実施形態において、第１のメッセージは、デバイスツーデバイスＤ２Ｄリンクを用いることによって第１のＵＥによって送信され、第１のメッセージは、第１のＵＥのアイデンティティＩＤ、第１のＵＥのネットワークステータス情報、中継対象データのデスティネーションアドレス、中継対象データのデータ量の大きさ、又は中継対象データのサービス品質ＱｏＳクラス情報の少なくとも１つをさらに含む。
【０３５４】
中継対象データは、基地局に送信される必要がある。
【０３５５】
任意選択的に、図１５に示されるように、ユーザ機器１４００は、処理ユニット１４０３をさらに含んでよい。
【０３５６】
処理ユニット１４０３は、第１のメッセージに従って、予め設定された第１の条件が満たされたか否かを決定するように構成される。
【０３５７】
送信ユニット１４０２は、具体的には、処理ユニット１４０３が、予め設定された第１の条件が満たされたと決定した場合に、第２のメッセージを基地局に送信するように構成される。
【０３５８】
予め設定された第１の条件は、第１のＵＥのネットワークステータス情報が、第１のＵＥが基地局とのデータ伝送を直接実行することが不可能であることを示すこと、第２のＵＥと基地局との間の信号品質が、第１の閾値より低く、第２の閾値より高いこと、又は、第２のＵＥが第１のメッセージを受信した受信信号品質が、第３の閾値より高いことの少なくとも１つを含む。
【０３５９】
第１の閾値、第２の閾値、又は第３の閾値の１つ又は複数は、予め定義される、又は、シグナリングを用いることによって構成される。
【０３６０】
任意選択的に、送信ユニット１４０２は、具体的には、予め設定された確率値に従って、第２のメッセージを基地局に送信するように構成される。予め設定された確率値は、予め定義される、又は、基地局によって構成される。
【０３６１】
任意選択的に、第２のメッセージは、第１のＵＥのＩＤ及び第１のＵＥの信号品質についての情報をさらに含む。第１のメッセージが中継対象データのＱｏＳクラス情報を含む場合に、第２のメッセージは、中継対象データのＱｏＳクラス情報をさらに含む。
【０３６２】
任意選択的に、第１のメッセージは、中継対象データのデータ量の大きさを含み、第２のメッセージは、中継リソース要求情報を含み、第３のメッセージは、中継リソース割り当て指示情報を含む。
【０３６３】
中継リソース割り当て指示情報は、上位層シグナリング及び／又は物理層シグナリングによって示される。
【０３６４】
物理層シグナリングは、ダウンリンク制御情報ＤＣＩを含み、ＤＣＩは、中継に関連する無線ネットワーク一時識別子ＲＮＴＩによって特定される。
【０３６５】
任意選択的に、送信ユニット１４０２は、第４のメッセージを第１のＵＥに送信するようにさらに構成される。
【０３６６】
第４のメッセージは、第２のＵＥが中継ＵＥとして動作することを示し、第４のメッセージは、第１のメッセージに対する応答メッセージである。任意選択的に、他の実施形態において、
【０３６７】
第１のメッセージは、ダウンリンクセルラリンクを用いることによって、基地局によって送信され、第１のメッセージは、
基地局のアイデンティティＩＤ、中継対象データのデスティネーションアドレス、又は中継リソース割り当て指示情報
の少なくとも１つをさらに含む。ここで、中継対象データのデスティネーションアドレスは、第１のＵＥである。
【０３６８】
中継リソース割り当て指示情報は、上位層シグナリング及び／又は物理層シグナリングによって示される。物理層シグナリングは、ＤＣＩを含み、ＤＣＩは、中継に関連するＲＮＴＩによって特定される。
【０３６９】
任意選択的に、送信ユニット１４０２は、デバイスツーデバイスＤ２Ｄリンクを用いることによって、中継要求情報を第１のＵＥに送信するようにさらに構成される。受信ユニット１４０１は、第１のＵＥによって送信された中継応答メッセージを受信するようにさらに構成される。
【０３７０】
任意選択的に、第２のメッセージは、第１のＵＥの信号品質についての情報をさらに含む。
【０３７１】
任意選択的に、処理ユニット１４０３は、第１のメッセージに従って、予め設定された第２の条件が満たされたか否かを決定するように構成される。送信ユニット１４０２は、具体的には、処理ユニット１４０３が、予め設定された第２の条件が満たされたと決定した場合に、第２のメッセージを基地局に送信するように構成される。
【０３７２】
予め設定された第２の条件は、第２のＵＥと第１のＵＥとの間のデバイスツーデバイスＤ２Ｄ信号品質が第４の閾値より高いことを含み、
第４の閾値は、予め定義される、又は、基地局によって構成される。
【０３７３】
任意選択的に、処理ユニット１４０３は、送信ユニット１４０２が第２のメッセージを送信した場合に、タイマを始動させるように構成される。受信ユニット１４０１は、具体的には、処理ユニット１４０３のタイマによって設定された期間内に、基地局によって送信された第３のメッセージを受信するように構成される。
【０３７４】
任意選択的に、他の実施形態において、基地局は、第２のＵＥのサービング基地局であり、基地局は、第１のＵＥとのデータ伝送を直接実行しない。
【０３７５】
第１のＵＥが基地局とのデータ伝送を直接実行しないことは、
基地局は第１のＵＥのサービング基地局であるが、基地局は、第１のＵＥが中継ＵＥを介して基地局との通信を実行する必要があることを示すこと、又は、
基地局は第１のＵＥのサービング基地局であるが、有効な無線リンク制御ＲＲＣ接続が第１のＵＥと基地局との間に確立されることが不可能であること、又は、
第１のＵＥは、セルラリンクを用いることによって通信を実行する機能を有さず、基地局への直接接続を確立することが不可能であること
を含む。
【０３７６】
図１４又は図１５におけるユーザ機器１４００は、図３、図８、図９、及び図１１の実施形態における第２のＵＥによって実行される処理、実装してよい。反復回避のため、詳細は、本明細書において再度説明されない。
【０３７７】
本発明の本実施形態において、受信ユニット１４０１は、受信機を用いることによって実装されてよく、送信ユニット１４０２は、送信機を用いることによって実装されてよく、処理ユニット１４０３は、プロセッサを用いることによって実装されてよいことに留意されたい。図１６に示されるように、ユーザ機器１４００は、プロセッサ１６０１、受信機１６０２、送信機１６０３、及びメモリ１６０４を含んでよい。メモリ１６０４は、プロセッサ１６０１によって実行されるコード等を格納するように構成されてよい。
【０３７８】
ユーザ機器１４００におけるコンポーネントは、バスシステム１６０５を用いることによって連結される。バスシステム１６０５は、データバスに加えて、電力供給バス、制御バス、及びステータス信号バスをさらに含む。
【０３７９】
図１７は、本発明の実施形態に係る基地局の構造を示すブロック図である。図１７に示される基地局１７００は、受信ユニット１７０１及び送信ユニット１７０２を含む。
【０３８０】
受信ユニット１７０１は、第１のメッセージを受信するように構成される。ここで、第１のメッセージは、第１のＵＥと基地局との間におけるデータ伝送のための中継ＵＥを割り当てることを要求する情報を含む。
【０３８１】
送信ユニット１７０２は、第２のメッセージを第２のＵＥに送信するように構成される。ここで、第２のメッセージは、第２のＵＥが中継ＵＥとして動作することを示す。
【０３８２】
本発明の本実施形態において、基地局は、その各々が第１のメッセージを送信する複数のＵＥから、第２のＵＥを中継ＵＥとして規定し、第１のＵＥと基地局との間におけるデータ伝送を支援する。
【０３８３】
任意選択的に、実施形態において、受信ユニット１７０１は、具体的には、第２のＵＥから第１のメッセージを受信するように構成される。第１のメッセージは、第１のＵＥのアイデンティティＩＤ、第１のＵＥの信号品質についての情報、第１のＵＥの中継対象データのデータ量の大きさ、又は中継対象データのサービス品質ＱｏＳクラス情報、中継リソース要求情報、又は基地局のＩＤの少なくとも１つを含む。
【０３８４】
任意選択的に、第１のメッセージは、中継リソース要求情報を含み、第２のメッセージは、中継リソース割り当て指示情報を含む。中継リソース割り当て指示情報は、上位層シグナリング及び／又は物理層シグナリングによって示される。物理層シグナリングは、ダウンリンク制御情報ＤＣＩを含み、ＤＣＩは、中継に関連する無線ネットワーク一時識別子ＲＮＴＩによって特定される。
【０３８５】
任意選択的に、図１８に示されるように、基地局１７００は、処理ユニット１７０３をさらに含んでよい。受信ユニット１７０１は、具体的には、少なくとも１つのＵＥから第１のメッセージを受信するように構成される。ここで、少なくとも１つのＵＥは、第２のＵＥを含むが、第１のＵＥを含まない。処理ユニット１７０３は、第２のＵＥと基地局との間の信号品質についての情報、又は、第２のＵＥと第１のＵＥとの間の信号品質についての情報の少なくとも１つに従って、少なくとも１つのＵＥにおける第２のＵＥを、中継ＵＥとして決定するように構成される。
【０３８６】
任意選択的に、送信ユニット１７０２は、少なくとも１つのＵＥにおける第３のＵＥに、第３のメッセージを送信するようにさらに構成される。ここで、第３のメッセージは、第３のＵＥが中継ＵＥとして動作できないことを示す。任意選択的に、他の実施形態において、
【０３８７】
受信ユニット１７０１は、具体的には、第１のＵＥから第１のメッセージを受信するように構成される。
【０３８８】
第１のメッセージは、第１のＵＥのアイデンティティＩＤ、中継対象データのデスティネーションアドレス、中継対象データのデータ量の大きさ、又は中継対象データのサービス品質ＱｏＳクラス情報の少なくとも１つを含む。
【０３８９】
任意選択的に、本発明の本実施形態において、第１のメッセージは、中継対象データのデータ量の大きさ及び／又は中継対象データのＱｏＳクラス情報を含み、第２のメッセージは、中継リソース割り当て指示情報を含む。
【０３９０】
中継リソース割り当て指示情報は、上位層シグナリング及び／又は物理層シグナリングによって示される。物理層シグナリングは、ダウンリンク制御情報ＤＣＩを含み、ＤＣＩは、中継に関連する無線ネットワーク一時識別子ＲＮＴＩによって特定される。
【０３９１】
図１７又は図１８における基地局１７００は、図３、図７、及び図１２の実施形態における基地局によって実行される処理を実装してよい。反復回避のため、詳細は、本明細書において再度説明されない。
【０３９２】
本発明の本実施形態において、受信ユニット１７０１は、受信機を用いることによって実装されてよく、送信ユニット１７０２は、送信機を用いることによって実装されてよく、処理ユニット１７０３は、プロセッサを用いることによって実装されてよいことに留意されたい。図１９に示されるように、基地局１７００は、プロセッサ１９０１、受信機１９０２、送信機１９０３、及びメモリ１９０４を含んでよい。メモリ１９０４は、プロセッサ１９０１によって実行されるコード等を格納するように構成されてよい。
【０３９３】
基地局１７００におけるコンポーネントは、バスシステム１９０５を用いることによって連結される。バスシステム１９０５は、データバスに加えて、電力供給バス、制御バス、及びステータス信号バスをさらに含む。
【０３９４】
図２０は、本発明の他の実施形態に係る基地局の構造を示すブロック図である。図２０に示される基地局２０００は、送信ユニット２００１及び受信ユニット２００２を含む。
【０３９５】
送信ユニット２００１は、第１のメッセージを少なくとも１つのユーザ機器ＵＥに送信するように構成される。ここで、第１のメッセージは、基地局と第１のＵＥとの間におけるデータ伝送のための中継要求情報を含む。
【０３９６】
受信ユニット２００２は、少なくとも１つのＵＥのうちいくつか又は全てのＵＥの各々によって送信された第２のメッセージを受信するように構成される。ここで、第２のメッセージは、第１のメッセージに対する応答メッセージであり、いくつか又は全てのＵＥは、第２のＵＥを含む。
【０３９７】
送信ユニット２００１は、第３のメッセージを第２のＵＥに送信するようにさらに構成される。ここで、第３のメッセージは、第２のＵＥに、基地局と第１のＵＥとの間におけるデータ伝送のための中継ＵＥとして動作することを命令する。
【０３９８】
本発明の本実施形態において、基地局は、第２のＵＥを中継ＵＥとして規定する。これにより、中継ＵＥは、基地局における中継データを遠隔の第１のＵＥに送信するにあたって、基地局を支援することができる。
【０３９９】
任意選択的に、本発明の本実施形態において、第１のメッセージは、ダウンリンクセルラリンクを用いることによって、基地局によって送信され、第１のメッセージは、
基地局のアイデンティティＩＤ、中継対象データのデスティネーションアドレス、又は中継リソース割り当て指示情報
の少なくとも１つをさらに含む。ここで、中継対象データのデスティネーションアドレスは、第１のＵＥである。
【０４００】
任意選択的に、実施形態において、図２１に示されるように、基地局２０００は、処理ユニット２００３をさらに含んでよい。処理ユニット２００３は、第２のＵＥと基地局との間の信号品質についての情報、又は第２のＵＥと第１のＵＥとの間の信号品質についての情報の少なくとも１つに従って、いくつか又は全てのＵＥのうち第２のＵＥを、中継ＵＥとして決定するように構成される。
【０４０１】
任意選択的に、他の実施形態において、第２のメッセージは、中継リソース要求情報を含み、第３のメッセージは、中継リソース割り当て指示情報を含む。
【０４０２】
中継リソース割り当て指示情報は、上位層シグナリング及び／又は物理層シグナリングによって示される。
【０４０３】
物理層シグナリングは、ＤＣＩを含み、ＤＣＩは、中継に関連するＲＮＴＩによって特定される。
【０４０４】
任意選択的に、他の実施形態において送信ユニット２００２は、いくつかのＵＥ又は全てのＵＥのうち第３のＵＥに、第４のメッセージを送信するようにさらに構成される。ここで、第４のメッセージは、第３のＵＥが中継ＵＥとして動作できないことを示す。
【０４０５】
任意選択的に、他の実施形態において、基地局は、第２のＵＥのサービング基地局であり、基地局は、第１のＵＥとのデータ伝送を直接実行しない。
【０４０６】
基地局が第１のＵＥとのデータ伝送を直接実行しないことは、
基地局は第１のＵＥのサービング基地局であるが、基地局は、第１のＵＥが中継ＵＥを介して基地局との通信を実行する必要があることを示すこと、又は、
基地局は第１のＵＥのサービング基地局であるが、有効な無線リンク制御ＲＲＣ接続が第１のＵＥと基地局との間に確立されることが不可能であること、又は、
第１のＵＥは、セルラリンクを用いることによって通信を実行する機能を有さず、基地局への直接接続を確立することが不可能であること
を含む。
【０４０７】
図２０又は図２１における基地局２０００は、図８、図９、及び図１３の実施形態における基地局によって実行される処理を実装してよい。反復回避のため、詳細は、本明細書において再度説明されない。
【０４０８】
本発明の本実施形態において、受信ユニット２００１は、受信機を用いることによって実装されてよく、送信ユニット２００２は、送信機を用いることによって実装されてよく、処理ユニット２００３は、プロセッサを用いることによって実装されてよいことに留意されたい。図２２に示されるように、基地局２０００は、プロセッサ２２０１、受信機２２０２、送信機２２０３、及びメモリ２２０４を含んでよい。メモリ２２０４は、プロセッサ２２０１によって実行されるコード等を格納するように構成されてよい。
【０４０９】
デバイス２０００におけるコンポーネントは、バスシステム２２０５を用いることによって連結される。バスシステム２２０５は、データバスに加えて、電力供給バス、制御バス、及びステータス信号バスをさらに含む。
【０４１０】
本発明の実施形態の前述の方法は、プロセッサに適用されてよく、又はプロセッサによって実装されてよいことに留意されたい。プロセッサは、集積回路チップであってよく、信号処理能力を有する。実装プロセスにおいて、前述された方法の実施形態の各段階は、プロセッサにおけるハードウェア統合ロジック回路を用いることによって、又はソフトウェア形式の命令によって、実装されてよい。プロセッサは、汎用用途向けプロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、又は他のプログラマブル論理デバイス、ディスクリートゲートもしくはトランジスタロジックデバイス、又はディスクリートハードウェアコンポーネントであってよい。プロセッサは、本発明の実施形態において開示される方法、段階及び論理ブロック図を実装又は実行してよい。汎用用途向けプロセッサは、マイクロプロセッサであってよく、プロセッサは、任意の従来のプロセッサ等であってよい。本発明の実施形態に関連して開示される方法の段階は、ハードウェアデコードプロセッサによって直接実行及び完了されてよく、又は、デコードプロセッサにおけるハードウェア及びソフトウェアモジュールの組み合わせを用いることによって。実行及び完了されてよい。ソフトウェアモジュールは、ランダムアクセスメモリ、フラッシュメモリ、リードオンリメモリ、プログラマブルリードオンリメモリ、電気的消去可能プログラマブルメモリ、又はレジスタのような、当技術分野において成熟した記憶媒体に配置されてよい。記憶媒体は、メモリに配置され、プロセッサは、メモリにおける情報を読み出し、プロセッサのハードウェアとの組み合わせにより、前述の方法の段階を完了させる。
【０４１１】
本発明の実施形態におけるメモリは、揮発性メモリもしくは不揮発性メモリであってよく、又は、揮発性メモリ及び不揮発性メモリの両方を含んでよいことが理解されよう。不揮発性メモリは、リードオンリメモリ（Ｒｅａｄ−Ｏｎｌｙ  Ｍｅｍｏｒｙ、ＲＯＭ）、プログラマブルリードオンリメモリ（Ｐｒｏｇｒａｍｍａｂｌｅ  ＲＯＭ、ＰＲＯＭ）、消去可能プログラマブルリードオンリメモリ（Ｅｒａｓａｂｌｅ  ＰＲＯＭ、ＥＰＲＯＭ）、電気的消去可能プログラマブルリードオンリメモリ（Ｅｌｅｃｔｒｉｃａｌｌｙ  ＥＰＲＯＭ、ＥＥＰＲＯＭ）、又はフラッシュメモリであってよい。揮発性メモリは、ランダムアクセスメモリ（Ｒａｎｄｏｍ  Ａｃｃｅｓｓ  Ｍｅｍｏｒｙ、ＲＡＭ）であってよく、外部キャッシュとして用いられる。スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、エンハンスドシンクロナスダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）、及びダイレクトランバスランダムアクセスメモリ（Ｄｉｒｅｃｔ  Ｒａｍｂｕｓ  ＲＡＭ、ＤＲ  ＲＡＭ）のような多くの形式のＲＡＭが、用いられてよいが、これは、例であって、限定的な説明ではない。本明細書において説明されるシステム及び方法におけるメモリは、限定されるものではないが、これらのメモリ及び好適なタイプの任意の他のメモリを含むことを意図することに留意されたい。
【０４１２】
当業者であれば、本明細書において開示された実施形態において説明された例との組み合わせにより、ユニット及びアルゴリズムの段階が、電子的ハードウェア又はコンピュータソフトウェア及び電子的ハードウェアの組み合わせによって実装され得ることを認識しよう。機能がハードウェア又はソフトウェアのいずれによって実行されるかは、技術的解決手段の具体的な適用及び設計の制約条件に依存する。当業者であれば、異なる方法を用いて、具体的な用途毎に、説明された機能を実装しよう。しかしながら、そのような実装が、本発明の範囲を越えるものとみなされるべきではない。
【０４１３】
当業者によれば、説明の便宜及び簡潔性の目的のために、前述されたシステム、装置、及びユニットの詳細な動作プロセスについては、前述された方法の実施形態において対応するプロセスが参照されてよく、詳細は本明細書において再度説明されないことが明確に理解されよう。
【０４１４】
本願において提供されるいくつかの実施形態において、開示されたシステム、装置、及び方法は、他の方式で実装されてよいことを理解されたい。例えば、説明された装置の実施形態は、例に過ぎない。例えば、ユニットの分割は、論理的機能の分割に過ぎず、実際の実装においては他の分割となることがある。例えば、複数のユニット又はコンポーネントは、他のシステムと組み合わせられ又は統合されてよい。又は、いくつかの機能は、無視されてよく、又は、実行されなくてよい。さらに、表示又は説明された相互連結もしくは直接連結又は通信接続は、いくつかのインタフェースを用いることによって実装されてよい。装置間又はユニット間の間接的な連結又は通信接続は、電子的、機械的、又は他の形式で、実装されてよい。
【０４１５】
別個の部分として説明されるユニットは、物理的に別個であってもなくてもよく、ユニットとして表示される部分は、物理的ユニットであってもなくてもよく、１の位置に配置されても、複数のネットワークユニットにおいて分散されてもよい。ユニットのいくつか又は全ては、実施形態の解決手段の目的を実現するように、実際の必要性に従って選択されてよい。
【０４１６】
さらに、本発明の実施形態における機能ユニットは、１つの処理ユニットに統合されてよく、又はユニットの各々が物理的に単独で存在してよく、又は２つもしくはそれより多くのユニットが１つのユニットに統合される。
【０４１７】
機能がソフトウェア機能ユニットの形式で実装され、個別の製品として販売又は使用される場合に、当該機能は、コンピュータ可読記憶媒体に格納されてよい。このような理解に基づいて、本発明の技術的解決手段は本質的に、又は従来技術に寄与する部分は、又は技術的解決手段のいくつかは、ソフトウェア製品の形式で実装されてよい。ソフトウェア製品は、記憶媒体に格納され、コンピュータデバイス（パーソナルコンピュータ、サーバ、又はネットワークデバイスであってよい）に、本発明の実施形態において説明された方法の段階の全て又はいくつかを実行するように命令するためのいくつかの命令を含む。前述の記憶媒体は、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、又は光ディスクのような、プログラムコードを格納可能なあらゆる媒体を含む。
【０４１８】
前述の説明は、本発明の特定の実装方式に過ぎず、本発明の保護範囲を限定することを意図するものではない。本発明において開示された技術的範囲内で、当業者によって容易に案出されるあらゆるバリエーション又は置換は、本発明の保護範囲に属するものとする。従って、本発明の保護範囲は、特許請求の範囲の保護範囲に従うものとする。
［項目１］
データ伝送方法であって、
第２のユーザ機器ＵＥによって、第１のＵＥ又は基地局によって送信された第１のメッセージを受信する段階であって、上記第１のメッセージは、中継要求情報を含む、段階と、
上記第２のＵＥによって、上記第１のメッセージに従って、第２のメッセージを上記基地局に送信する段階であって、上記第２のメッセージは、上記第２のＵＥが、上記第１のＵＥと上記基地局との間におけるデータ伝送のための中継ＵＥとして動作することを要求することを示す情報を含む、段階と、
上記第２のＵＥによって、上記基地局によって送信された第３のメッセージを受信する段階であって、上記第３のメッセージは、上記第２のＵＥに、上記中継ＵＥとして動作することを命令する、段階と、
を備える方法。
［項目２］
上記中継要求情報は、参照信号及び／又はデバイスツーデバイスＤ２Ｄ同期信号によって示される、項目１に記載の方法。
［項目３］
上記第１のメッセージは、デバイスツーデバイスＤ２Ｄリンクを用いることによって、上記第１のＵＥによって送信され、上記第１のメッセージは、
上記第１のＵＥのアイデンティティＩＤ、上記第１のＵＥのネットワークステータス情報、中継対象データのデスティネーションアドレス、上記中継対象データのデータ量の大きさ、又は上記中継対象データのサービス品質ＱｏＳクラス情報
の少なくとも１つをさらに含み、
上記中継対象データは、上記基地局に送信される必要がある、
項目１に記載の方法。
［項目４］
上記第２のＵＥによって、上記第１のメッセージに従って、第２のメッセージを上記基地局に送信する上記段階は、
上記第２のＵＥによって、上記第１のメッセージに従って、予め設定された第１の条件が満たされたか否かを決定する段階と、
上記予め設定された第１の条件が満たされたと決定した場合に、上記第２のメッセージを上記基地局に送信する段階と、
を含み、
上記予め設定された第１の条件は、
上記第１のＵＥの上記ネットワークステータス情報が、上記第１のＵＥが上記基地局とのデータ伝送を直接実行することが不可能であることを示すこと、上記第２のＵＥと上記基地局との間の信号品質が、第１の閾値より低く、第２の閾値より高いこと、又は、上記第２のＵＥが上記第１のメッセージを受信した受信信号品質が、第３の閾値より高いこと
の少なくとも１つを含む、
項目３に記載の方法。
［項目５］
上記第２のメッセージを上記基地局に送信する上記段階は、
予め設定された確率値に従って、上記第２のメッセージを上記基地局に送信する段階
を含み、
上記予め設定された確率値は、予め定義される、又は、上記基地局によって構成される、
項目４に記載の方法。
［項目６］
上記第２のメッセージは、上記第１のＵＥの上記ＩＤ及び上記第１のＵＥの信号品質についての情報をさらに含み、
上記第１のメッセージが上記中継対象データの上記ＱｏＳクラス情報を含む場合に、上記第２のメッセージは、上記中継対象データの上記ＱｏＳクラス情報をさらに含む、
項目３から５のいずれか１項に記載の方法。
［項目７］
上記第１のメッセージは、上記中継対象データの上記データ量の上記大きさを含み、上記第２のメッセージは、中継リソース要求情報を含み、上記第３のメッセージは、中継リソース割り当て指示情報を含み、
上記中継リソース割り当て指示情報は、上位層シグナリング及び／又は物理層シグナリングによって示され、
上記物理層シグナリングは、ダウンリンク制御情報ＤＣＩを含み、上記ＤＣＩは、上記中継に関連する無線ネットワーク一時識別子ＲＮＴＩによって特定される、
項目３から６のいずれか１項に記載の方法。
［項目８］
上記方法は、
上記第２のＵＥによって、第４のメッセージを上記第１のＵＥに送信する段階
をさらに備え、
上記第４のメッセージは、上記第２のＵＥが上記中継ＵＥとして動作することを示し、上記第４のメッセージは、上記第１のメッセージに対する応答メッセージである、
項目３から７のいずれか１項に記載の方法。
［項目９］
上記第１のメッセージは、上記基地局によって、ダウンリンクセルラリンクを用いることによって送信され、上記第１のメッセージは、
上記基地局のアイデンティティＩＤ、上記中継対象データのデスティネーションアドレス、又は中継リソース割り当て指示情報
の少なくとも１つをさらに含み、
上記中継対象データの上記デスティネーションアドレスは、上記第１のＵＥである、
項目１に記載の方法。
［項目１０］
第２のユーザ機器ＵＥによって、上記基地局によって送信された第１のメッセージを受信する上記段階の後で、
上記第２のＵＥによって、デバイスツーデバイスＤ２Ｄリンクを用いることによって、上記中継要求情報を上記第１のＵＥに送信する段階と、
上記第２のＵＥによって、上記第１のＵＥによって送信された中継応答メッセージを受信する段階と、
をさらに備える、項目９に記載の方法。
［項目１１］
上記第２のメッセージは、上記第１のＵＥの信号品質についての情報をさらに含む、項目１０に記載の方法。
［項目１２］
上記第２のＵＥによって、上記第１のメッセージに従って、第２のメッセージを上記基地局に送信する上記段階は、
上記第２のＵＥによって、上記第１のメッセージに従って、予め設定された第２の条件が満たされたか否かを決定する段階と、
上記予め設定された第２の条件が満たされたと決定した場合に、上記第２のメッセージを上記基地局に送信する段階と、
を含み、
上記予め設定された第２の条件は、
上記第２のＵＥと上記第１のＵＥとの間のデバイスツーデバイスＤ２Ｄ信号品質が第４の閾値より高いこと、及び、
上記第４の閾値が予め定義される、又は上記基地局によって構成されること
を含む、
項目９から１１のいずれか１項に記載の方法。
［項目１３］
上記第２のメッセージを上記基地局に送信する上記段階の時に、上記第２のＵＥは、タイマを始動させ、
上記第２のＵＥによって、上記基地局によって送信された第３のメッセージを受信する上記段階は、
上記第２のＵＥによって、上記タイマによって設定された期間内に、上記基地局によって送信された上記第３のメッセージを受信する段階
を含む、
項目１から１２のいずれか１項に記載の方法。
［項目１４］
上記基地局は、上記第２のＵＥのサービング基地局であり、上記第１のＵＥは、上記基地局とのデータ伝送を直接実行せず、
上記第１のＵＥが上記基地局とのデータ伝送を直接実行しないことは、
上記基地局は上記第１のＵＥのサービング基地局であるが、上記基地局が、上記第１のＵＥが上記中継ＵＥを介して上記基地局との通信を実行する必要があることを示すこと、又は、
上記基地局は上記第１のＵＥのサービング基地局であるが、有効な無線リンク制御ＲＲＣ接続が上記第１のＵＥと上記基地局との間に確立されることが不可能であること、又は、
上記第１のＵＥが、セルラリンクを用いることによって通信を実行する機能を有さず、上記基地局への直接接続を確立することが不可能であること
を含む、
項目１から１３のいずれか１項に記載の方法。
［項目１５］
データ伝送方法であって、
基地局によって、第１のメッセージを受信する段階であって、上記第１のメッセージは、第１のＵＥと上記基地局との間におけるデータ伝送のための中継ＵＥを割り当てることを要求する情報を含む、段階と、
上記基地局によって、第２のメッセージを第２のＵＥに送信する段階であって、上記第２のメッセージは、上記第２のＵＥが上記中継ＵＥとして動作することを示す、段階と、
を備える方法。
［項目１６］
基地局によって、第１のメッセージを受信する上記段階は、
上記基地局によって、上記第２のＵＥから上記第１のメッセージを受信する段階
を含み、
上記第１のメッセージは、上記第１のＵＥのアイデンティティＩＤ、上記第１のＵＥの信号品質についての情報、上記第１のＵＥの中継対象データのデータ量の大きさ、又は上記中継対象データのサービス品質ＱｏＳクラス情報、中継リソース要求情報、又は上記基地局のＩＤの少なくとも１つを含む、
項目１５に記載の方法。
［項目１７］
上記第１のメッセージは、上記中継リソース要求情報を含み、上記第２のメッセージは、中継リソース割り当て指示情報を含み、
上記中継リソース割り当て指示情報は、上位層シグナリング及び／又は物理層シグナリングによって示され、
上記物理層シグナリングは、ダウンリンク制御情報ＤＣＩを含み、上記ＤＣＩは、上記中継に関連する無線ネットワーク一時識別子ＲＮＴＩによって特定される、
項目１６に記載の方法。
［項目１８］
上記基地局によって、上記第２のＵＥから上記第１のメッセージを受信する上記段階は、
上記基地局によって、少なくとも１つのＵＥから上記第１のメッセージを受信する段階であって、上記少なくとも１つのＵＥは、上記第２のＵＥを含むが上記第１のＵＥを含まない、段階
を含み、
上記基地局によって、第２のメッセージを第２のＵＥに送信する上記段階の前に、上記方法は、
上記基地局によって、
上記第２のＵＥと上記基地局との間の信号品質についての情報、又は上記第２のＵＥと上記第１のＵＥとの間の信号品質についての情報
の少なくとも１つに従って、上記少なくとも１つのＵＥにおける上記第２のＵＥを上記中継ＵＥとして決定する段階
をさらに備える、
項目１６又は１７に記載の方法。
［項目１９］
上記方法は、
上記基地局によって、上記少なくとも１つのＵＥにおける第３のＵＥに、第３のメッセージを送信する段階
をさらに備え、
上記第３のメッセージは、上記第３のＵＥが上記中継ＵＥとして動作できないことを示す、
項目１８に記載の方法。
［項目２０］
基地局によって、第１のメッセージを受信する上記段階は、
上記基地局によって、上記第１のＵＥから上記第１のメッセージを受信する段階
を含み、
上記第１のメッセージは、上記第１のＵＥのアイデンティティＩＤ、中継対象データのデスティネーションアドレス、上記中継対象データのデータ量の大きさ、又は上記中継対象データのサービス品質ＱｏＳクラス情報の少なくとも１つを含む、
項目１５に記載の方法。
［項目２１］
上記第１のメッセージは、上記中継対象データの上記データ量の上記大きさ及び／又は上記中継対象データの上記ＱｏＳクラス情報を含み、上記第２のメッセージは、中継リソース割り当て指示情報を含み、
上記中継リソース割り当て指示情報は、上位層シグナリング及び／又は物理層シグナリングによって示され、
上記物理層シグナリングは、ダウンリンク制御情報ＤＣＩを含み、上記ＤＣＩは、上記中継に関連する無線ネットワーク一時識別子ＲＮＴＩによって特定される、
項目１５から２０のいずれか１項に記載の方法。
［項目２２］
データ伝送方法であって、
基地局によって、第１のメッセージを少なくとも１つのユーザ機器ＵＥに送信する段階であって、上記第１のメッセージは、上記基地局と上記第１のＵＥとの間におけるデータ伝送のための中継要求情報を含む、段階と、
上記基地局によって、上記少なくとも１つのＵＥのうちいくつか又は全てのＵＥの各々によって送信された第２のメッセージを受信する段階であって、上記第２のメッセージは、上記第１のメッセージに対する応答メッセージであり、上記いくつか又は全てのＵＥは、第２のＵＥを含む、段階と、
上記基地局によって、第３のメッセージを上記第２のＵＥに送信する段階であって、上記第３のメッセージは、上記第２のＵＥに、上記基地局と上記第１のＵＥとの間におけるデータ伝送のための中継ＵＥとして動作することを命令する、段階と、
を備える方法。
［項目２３］
上記第１のメッセージは、
上記基地局のアイデンティティＩＤ、上記中継対象データのデスティネーションアドレス、又は中継リソース割り当て指示情報
の少なくとも１つをさらに含み、
上記中継対象データの上記デスティネーションアドレスは、上記第１のＵＥである、
項目２２に記載の方法。
［項目２４］
上記基地局によって、第３のメッセージを上記第２のＵＥに送信する上記段階の前に、
上記基地局によって、
上記第２のＵＥと上記基地局との間の信号品質についての情報、又は
上記第２のＵＥと上記第１のＵＥとの間の信号品質についての情報
の少なくとも１つに従って、上記いくつか又は全てのＵＥのうち上記第２のＵＥを、上記中継ＵＥとして決定する段階
をさらに備える、項目２２又は２３に記載の方法。
［項目２５］
上記第２のメッセージは、中継リソース要求情報を含み、上記第３のメッセージは、上記中継リソース割り当て指示情報を含み、
上記中継リソース割り当て指示情報は、上位層シグナリング及び／又は物理層シグナリングによって示され、
上記物理層シグナリングは、ダウンリンク制御情報ＤＣＩを含み、上記ＤＣＩは、上記中継に関連する無線ネットワーク一時識別子ＲＮＴＩによって特定される、
項目２２から２４のいずれか１項に記載の方法。
［項目２６］
上記方法は、
上記基地局によって、上記いくつかのＵＥ又は全ての上記ＵＥのうち第３のＵＥに、第４のメッセージを送信する段階
をさらに備え、
上記第４のメッセージは、上記第３のＵＥが上記中継ＵＥとして動作できないことを示す、
項目２２から２５のいずれか１項に記載の方法。
［項目２７］
上記基地局は、第２のＵＥのサービング基地局であり、上記基地局は、上記第１のＵＥとのデータ伝送を直接実行せず、
上記基地局が上記第１のＵＥとのデータ伝送を直接実行しないことは、
上記基地局は上記第１のＵＥのサービング基地局であるが、上記基地局が、上記第１のＵＥが上記中継ＵＥを介して上記基地局との通信を実行する必要があることを示すこと、又は、
上記基地局は上記第１のＵＥのサービング基地局であるが、有効な無線リンク制御ＲＲＣ接続が上記第１のＵＥと上記基地局との間に確立されることが不可能であること、又は、
上記第１のＵＥが、セルラリンクを用いることによって通信を実行する機能を有さず、上記基地局への直接接続を確立することが不可能であること
を含む、
項目２２から２６のいずれか１項に記載の方法。
［項目２８］
第２のユーザ機器ＵＥであるユーザ機器であって、
第１のＵＥ又は基地局によって送信された第１のメッセージを受信するように構成される受信ユニットであって、上記第１のメッセージは、中継要求情報を含む、受信ユニットと、
上記受信ユニットによって受信された上記第１のメッセージに従って、第２のメッセージを上記基地局に送信するように構成される送信ユニットであって、上記第２のメッセージは、上記第２のＵＥが、上記第１のＵＥと上記基地局との間におけるデータ伝送のための中継ＵＥとして動作することを要求することを示す情報を含む、送信ユニットと、
を備え、
上記受信ユニットは、上記基地局によって送信された第３のメッセージを受信するようにさらに構成され、上記第３のメッセージは、上記第２のＵＥに、上記中継ＵＥとして動作することを命令する、
ユーザ機器。
［項目２９］
上記中継要求情報は、参照信号及び／又はデバイスツーデバイスＤ２Ｄ同期信号によって示される、項目２８に記載のユーザ機器。
［項目３０］
上記第１のメッセージは、デバイスツーデバイスＤ２Ｄリンクを用いることによって、上記第１のＵＥによって送信され、上記第１のメッセージは、
上記第１のＵＥのアイデンティティＩＤ、上記第１のＵＥのネットワークステータス情報、中継対象データのデスティネーションアドレス、上記中継対象データのデータ量の大きさ、又は上記中継対象データのサービス品質ＱｏＳクラス情報
の少なくとも１つをさらに含み、
上記中継対象データは、上記基地局に送信される必要がある、
項目２８に記載のユーザ機器。
［項目３１］
処理ユニットをさらに備え、
上記処理ユニットは、上記第１のメッセージに従って、予め設定された第１の条件が満たされたか否かを決定するように構成され、
上記送信ユニットは、具体的には、上記処理ユニットが、上記予め設定された第１の条件が満たされたと決定した場合に、上記第２のメッセージを上記基地局に送信するように構成され、
上記予め設定された第１の条件は、
上記第１のＵＥの上記ネットワークステータス情報が、上記第１のＵＥが上記基地局とのデータ伝送を直接実行することが不可能であることを示すこと、上記第２のＵＥと上記基地局との間の信号品質が、第１の閾値より低く、第２の閾値より高いこと、又は、上記第２のＵＥが上記第１のメッセージを受信した受信信号品質が第３の閾値より高いこと
の少なくとも１つを含む、
項目３０に記載のユーザ機器。
［項目３２］
上記送信ユニットは、具体的には、予め設定された確率値に従って、上記第２のメッセージを上記基地局に送信するように構成され、
上記予め設定された確率値は、予め定義される、又は、上記基地局によって構成される、
項目３１に記載のユーザ機器。
［項目３３］
上記第２のメッセージは、上記第１のＵＥの上記ＩＤ及び上記第１のＵＥの信号品質についての情報をさらに含み、
上記第１のメッセージが上記中継対象データの上記ＱｏＳクラス情報を含む場合に、上記第２のメッセージは、上記中継対象データの上記ＱｏＳクラス情報をさらに含む、
項目３０から３２のいずれか１項に記載のユーザ機器。
［項目３４］
上記第１のメッセージは、上記中継対象データの上記データ量の上記大きさを含み、上記第２のメッセージは、中継リソース要求情報を含み、上記第３のメッセージは、中継リソース割り当て指示情報を含み、
上記中継リソース割り当て指示情報は、上位層シグナリング及び／又は物理層シグナリングによって示され、
上記物理層シグナリングは、ダウンリンク制御情報ＤＣＩを含み、上記ＤＣＩは、上記中継に関連する無線ネットワーク一時識別子ＲＮＴＩによって特定される、
項目３０から３３のいずれか１項に記載のユーザ機器。
［項目３５］
上記送信ユニットは、第４のメッセージを上記第１のＵＥに送信するようにさらに構成され、
上記第４のメッセージは、上記第２のＵＥが上記中継ＵＥとして動作することを示し、上記第４のメッセージは、上記第１のメッセージに対する応答メッセージである、
項目３０から３４のいずれか１項に記載のユーザ機器。
［項目３６］
上記第１のメッセージは、ダウンリンクセルラリンクを用いることによって、上記基地局によって送信され、上記第１のメッセージは、
上記基地局のアイデンティティＩＤ、上記中継対象データのデスティネーションアドレス、又は中継リソース割り当て指示情報
の少なくとも１つをさらに含み、
上記中継対象データの上記デスティネーションアドレスは、上記第１のＵＥである、
項目２８に記載のユーザ機器。
［項目３７］
上記送信ユニットは、デバイスツーデバイスＤ２Ｄリンクを用いることによって、上記中継要求情報を上記第１のＵＥに送信するようにさらに構成され、
上記受信ユニットは、上記第１のＵＥによって送信された中継応答メッセージを受信するようにさらに構成される、
項目３６に記載のユーザ機器。
［項目３８］
上記第２のメッセージは、上記第１のＵＥの信号品質についての情報をさらに含む、項目３７に記載のユーザ機器。
［項目３９］
処理ユニットをさらに備え、
上記処理ユニットは、上記第１のメッセージに従って、予め設定された第２の条件が満たされたか否かを決定するように構成され、
上記送信ユニットは、具体的には、上記予め設定された第２の条件が満たされたと決定された場合に、上記第２のメッセージを上記基地局に送信するように構成され、
上記予め設定された第２の条件は、
上記第２のＵＥと上記第１のＵＥとの間のデバイスツーデバイスＤ２Ｄ信号品質が第４の閾値より高いこと、及び
上記第４の閾値が、予め定義される、又は、上記基地局によって構成されること
を含む、
項目３６から３８のいずれか１項に記載のユーザ機器。
［項目４０］
上記処理ユニットをさらに備え、
上記処理ユニットは、上記送信ユニットが上記第２のメッセージを送信した場合に、タイマを始動させるように構成され、
上記受信ユニットは、具体的には、上記処理ユニットの上記タイマによって設定された期間内に、上記基地局によって送信された上記第３のメッセージを受信するように構成される、
項目２８から３９のいずれか１項に記載のユーザ機器。
［項目４１］
上記基地局は、上記第２のＵＥのサービング基地局であり、上記第１のＵＥは、上記基地局とのデータ伝送を直接実行せず、
上記第１のＵＥが上記基地局とのデータ伝送を直接実行しないことは、
上記基地局は上記第１のＵＥのサービング基地局であるが、上記基地局が、上記第１のＵＥが上記中継ＵＥを介して上記基地局との通信を実行する必要があることを示すこと、又は、
上記基地局は上記第１のＵＥのサービング基地局であるが、有効な無線リンク制御ＲＲＣ接続が上記第１のＵＥと上記基地局との間に確立されることが不可能であること、又は、
上記第１のＵＥが、セルラリンクを用いることによって通信を実行する機能を有さず、上記基地局への直接接続を確立することが不可能であること
を含む、
項目２８から４０のいずれか１項に記載のユーザ機器。
［項目４２］
基地局であって、
第１のメッセージを受信するように構成される受信ユニットであって、上記第１のメッセージは、第１のＵＥと上記基地局との間におけるデータ伝送のための中継ＵＥを割り当てることを要求する情報を含む、受信ユニットと、
第２のメッセージを第２のＵＥに送信するように構成される送信ユニットであって、上記第２のメッセージは、上記第２のＵＥが上記中継ＵＥとして動作することを示す、送信ユニットと、
を備える基地局。
［項目４３］
上記受信ユニットは、具体的には、上記第２のＵＥから上記第１のメッセージを受信するように構成され、
上記第１のメッセージは、
上記第１のＵＥのアイデンティティＩＤ、上記第１のＵＥの信号品質についての情報、上記第１のＵＥの中継対象データのデータ量の大きさ、又は上記中継対象データのサービス品質ＱｏＳクラス情報、中継リソース要求情報、又は上記基地局のＩＤ
の少なくとも１つを含む、
項目４２に記載の基地局。
［項目４４］
上記第１のメッセージは、上記中継リソース要求情報を含み、上記第２のメッセージは、中継リソース割り当て指示情報を含み、
上記中継リソース割り当て指示情報は、上位層シグナリング及び／又は物理層シグナリングによって示され、
上記物理層シグナリングは、ダウンリンク制御情報ＤＣＩを含み、上記ＤＣＩは、上記中継に関連する無線ネットワーク一時識別子ＲＮＴＩによって特定される、
項目４３に記載の基地局。
［項目４５］
処理ユニットをさらに備え、
上記受信ユニットは、具体的には、少なくとも１つのＵＥから上記第１のメッセージを受信するように構成され、上記少なくとも１つのＵＥは、上記第２のＵＥを含むが上記第１のＵＥを含まず、
上記処理ユニットは、
上記第２のＵＥと上記基地局との間の信号品質についての情報、又は上記第２のＵＥと上記第１のＵＥとの間の信号品質についての情報
の少なくとも１つに従って、上記少なくとも１つのＵＥにおける上記第２のＵＥを、上記中継ＵＥとして決定するように構成される、
項目４３に記載の基地局。
［項目４６］
上記送信ユニットは、
上記少なくとも１つのＵＥにおける第３のＵＥに、第３のメッセージを送信するようにさらに構成され、
上記第３のメッセージは、上記第３のＵＥが上記中継ＵＥとして動作できないことを示す、
項目４５に記載の基地局。
［項目４７］
上記受信ユニットは、具体的には、上記第１のＵＥから上記第１のメッセージを受信するように構成され、
上記第１のメッセージは、
上記第１のＵＥのアイデンティティＩＤ、中継対象データのデスティネーションアドレス、上記中継対象データのデータ量の大きさ、又は上記中継対象データのサービス品質ＱｏＳクラス情報
の少なくとも１つを含む、
項目４２に記載の基地局。
［項目４８］
上記第１のメッセージは、上記中継対象データの上記データ量の上記大きさ及び／又は上記中継対象データの上記ＱｏＳクラス情報を含み、上記第２のメッセージは、中継リソース割り当て指示情報を含み、
上記中継リソース割り当て指示情報は、上位層シグナリング及び／又は物理層シグナリングによって示され、
上記物理層シグナリングは、ダウンリンク制御情報ＤＣＩを含み、上記ＤＣＩは、上記中継に関連する無線ネットワーク一時識別子ＲＮＴＩによって特定される、
項目４２から４７のいずれか１項に記載の基地局。
［項目４９］
基地局であって、
第１のメッセージを少なくとも１つのユーザ機器ＵＥに送信するように構成される送信ユニットであって、上記第１のメッセージは、上記基地局と上記第１のＵＥとの間におけるデータ伝送のための中継要求情報を含む、送信ユニットと、
上記少なくとも１つのＵＥのうちいくつか又は全てのＵＥの各々によって送信された第２のメッセージを受信するように構成される受信ユニットであって、上記第２のメッセージは、上記第１のメッセージに対する応答メッセージであり、上記いくつか又は全てのＵＥは、第２のＵＥを含む、受信ユニットと、
を備え、
上記送信ユニットは、第３のメッセージを上記第２のＵＥに送信するようにさらに構成され、上記第３のメッセージは、上記第２のＵＥに、上記基地局と上記第１のＵＥとの間におけるデータ伝送のための中継ＵＥとして動作することを命令する、
基地局。
［項目５０］
上記第１のメッセージは、
上記基地局のアイデンティティＩＤ、上記中継対象データのデスティネーションアドレス、又は中継リソース割り当て指示情報
の少なくとも１つをさらに含み、
上記中継対象データの上記デスティネーションアドレスは、上記第１のＵＥである、
項目４９に記載の基地局。
［項目５１］
処理ユニットをさらに備え、
上記処理ユニットは、
上記第２のＵＥと上記基地局との間の信号品質についての情報、又は上記第２のＵＥと上記第１のＵＥとの間の信号品質についての情報
の少なくとも１つに従って、上記いくつか又は全てのＵＥのうち上記第２のＵＥを、上記中継ＵＥとして決定するように構成される、
項目４９又は５０に記載の基地局。
［項目５２］
上記第２のメッセージは、中継リソース要求情報を含み、上記第３のメッセージは、上記中継リソース割り当て指示情報を含み、
上記中継リソース割り当て指示情報は、上位層シグナリング及び／又は物理層シグナリングによって示され、
上記物理層シグナリングは、ダウンリンク制御情報ＤＣＩを含み、上記ＤＣＩは、上記中継に関連する無線ネットワーク一時識別子ＲＮＴＩによって特定される、
項目４９から５１のいずれか１項に記載の基地局。
［項目５３］
上記送信ユニットは、
上記いくつかのＵＥ又は全ての上記ＵＥのうち第３のＵＥに、第４のメッセージを送信する
ようにさらに構成され、
上記第４のメッセージは、上記第３のＵＥが上記中継ＵＥとして動作できないことを示す
項目４９から５２のいずれか１項に記載の基地局。
［項目５４］
上記基地局は、上記第２のＵＥのサービング基地局であり、上記基地局は、上記第１のＵＥとのデータ伝送を直接実行せず、
上記基地局が上記第１のＵＥとのデータ伝送を直接実行しないことは、
上記基地局は上記第１のＵＥのサービング基地局であるが、上記基地局が、上記第１のＵＥが上記中継ＵＥを介して上記基地局との通信を実行する必要があることを示すこと、又は、
上記基地局は上記第１のＵＥのサービング基地局であるが、有効な無線リンク制御ＲＲＣ接続が上記第１のＵＥと上記基地局との間に確立されることが不可能であること、又は、
上記第１のＵＥが、セルラリンクを用いることによって通信を実行する機能を有さず、上記基地局への直接接続を確立することが不可能であること
を含む、
項目４９から５３のいずれか１項に記載の基地局。
【図１】
0006472537.tif 000003
【図２（ａ）】
0006472537.tif 000004
【図２（ｂ）】
0006472537.tif 000005
【図３】
0006472537.tif 000006
【図４】
0006472537.tif 000007
【図５】
0006472537.tif 000008
【図６】
0006472537.tif 000009
【図７】
0006472537.tif 000010
【図８】
0006472537.tif 000011
【図９】
0006472537.tif 000012
【図１０】
0006472537.tif 000013
【図１１】
0006472537.tif 000014
【図１２】
0006472537.tif 000015
【図１３】
0006472537.tif 000016
【図１４】
0006472537.tif 000017
【図１５】
0006472537.tif 000018
【図１６】
0006472537.tif 000019
【図１７】
0006472537.tif 000020
【図１８】
0006472537.tif 000021
【図１９】
0006472537.tif 000022
【図２０】
0006472537.tif 000023
【図２１】
0006472537.tif 000024
【図２２】
0006472537.tif 000025